(57)【特許請求の範囲】
【請求項１】
少なくとも一部がハードウェア内に存在する論理回路であって、WLANと3GPPネットワークとのうち１つを追加のアクセス接続として追加することにより、既存のPDN通信が多重アクセスPDN通信として提供されることを示す無線ローカルエリアネットワーク（WLAN）制御プロトコル（WLCP）パケットデータネットワーク（PDN）接続要求メッセージを生成し、前記WLCP  PDN接続要求メッセージのルーティング規則を更新し、更新された前記ルーティング規則を、前記WLCP  PDN接続要求メッセージのプロトコル設定オプション（PCO）フィールドに含めるように構成される論理回路と、
前記WLCP  PDN接続要求メッセージを送信するように構成される送受信器と、
を備えるユーザイクイップメント（UE）。
【請求項２】
前記論理回路は、前記WLCP  PDN接続要求メッセージの要求タイプフィールドにおいて、前記既存のPDN通信が前記多重アクセスPDN通信として提供されることを示し、前記WLANと前記3GPPネットワークとのうち１つを前記追加のアクセス接続として特定するように構成される、
請求項１に記載のUE。
【請求項３】
前記論理回路は、前記WLCP  PDN接続要求メッセージに新しいルーティング規則を含めるように構成される、
請求項１に記載のUE。
【請求項４】
前記論理回路は、前記新しいルーティング規則について新しいルーティングフィルタ記述を含めるように構成される、
請求項３に記載のUE。
【請求項５】
前記論理回路は、前記WLCP  PDN接続要求メッセージにおいて、既存のルーティング規則のルーティングアクセスタイプを修正するように構成される、
請求項１乃至４のいずれか一項に記載のUE。
【請求項６】
前記論理回路は、インターネットプロトコル（IP）フローが第１の無線アクセスシステムから第２の無線アクセスシステムに移行されることを示すWLCPフローモビリティ要求メッセージを生成するように構成される、
請求項１乃至５のいずれか一項に記載のUE。
【請求項７】
前記第１の無線アクセスシステムは3GPP無線アクセスシステムであり、前記第２の無線アクセスシステムは非3GPP無線アクセスシステムである、
請求項６に記載のUE。
【請求項８】
前記第１の無線アクセスシステムは非3GPP無線アクセスシステムであり、前記第２の無線アクセスシステムは3GPP無線アクセスシステムである、
請求項６に記載のUE。
【請求項９】
前記論理回路は、前記WLCPフローモビリティ要求メッセージにおいて、メッセージタイプ、トランザクション識別子、アクセスポイント名及びパケットデータネットワーク（PDN）接続識別子（ID）のうち少なくとも１つを認識するように構成される、
請求項６に記載のUE。
【請求項１０】
前記論理回路は、更新されたルーティング規則を前記WLCPフローモビリティ要求メッセージに含めるように構成される、
請求項６乃至８のいずれか一項に記載のUE。
【請求項１１】
前記論理回路は、更新された前記ルーティング規則を前記WLCPフローモビリティ要求メッセージのプロトコル設定オプション（PCO）フィールドに含めるように構成される、
請求項１０に記載のUE。
【請求項１２】
前記論理回路は、フローモビリティトリガに基づいて、前記WLCPフローモビリティ要求メッセージの生成を開始するように構成される、
請求項６乃至１０のいずれか一項に記載のUE。
【請求項１３】
前記フローモビリティトリガは、ルーティング規則、受信信号強度、利用可能な帯域幅、サービス品質（QoS）要件、ユーザ入力及びユーザ選択のうち１つに基づく、
請求項１２に記載のUE。
【発明の詳細な説明】
【技術分野】
【０００１】
本願は、米国仮特許出願第６１／９９０，６００９号（２０１４年５月８日出願）の優先権を主張する米国特許出願第１４／５８１，８０３号（２０１４年１２月２３日出願）の優先権を主張し、その全体が参照により本明細書に組み込まれる。
【０００２】
本明細書の実施形態は、一般に、ブロードバンド通信ネットワーク内のデバイス間の通信と、異なるブロードバンド無線通信ネットワーク間のデータトラフィックのシームレスオフロードとに関する。
【背景技術】
【０００３】
進化型ユニバーサル移動通信システム地上無線アクセスネットワーク（E-UTRAN）において、ユーザイクイップメント（UE）は、3GPP無線ネットワークアクセスシステムと非3GPP無線ネットワークシステム（例えばローカルエリアネットワーク）とに同時に接続することができる。UEに関連付けられたインターネットプロトコル（IP）フローは、デュアルスタックモバイルインターネットプロトコルv6（DSMIPv6）等のプロトコルを用いて、3GPP無線ネットワークと非3GPP無線ネットワークとの間で移行させることができる。しかしながら、DSMIPv6は柔軟性に欠けたクライアントベースのプロトコルであるので、3GPP無線ネットワーク間で広く展開されていない。
【図面の簡単な説明】
【０００４】
【図１】第１の動作環境の実施形態を示す図である。
【図２】第１のメッセージフローの実施形態を示す図である。
【図３】第２のメッセージフローの実施形態を示す図である。
【図４】第３のメッセージフローの実施形態を示す図である。
【図５】第１の装置の実施形態と第１のシステムの実施形態を示す図である。
【図６】第２の装置の実施形態と第２のシステムの実施形態を示す図である。
【図７】第３の装置の実施形態と第３のシステムの実施形態を示す図である。
【図８】第１のメッセージフォーマットの実施形態を示す図である。
【図９】第２のメッセージのフォーマットの実施形態を示す図である。
【図１０】第３のメッセージのフォーマットの実施形態を示す図である。
【図１１】第４のメッセージのフォーマットの実施形態を示す図である。
【図１２】デバイスの実施形態を示す図である。
【図１３】無線ネットワークの実施形態を示す図である。
【発明を実施するための形態】
【０００５】
UEによって開始されるIPフローモビリティとネットワーク開始のIPフローモビリティの両方が利用可能となるように、ネットワークベースのプロトコルを用いてシームレスなIPフローオフロードをサポートすることができるネットワークベースのIPフローモビリティプロトコルが必要とされている。
【０００６】
様々な実施形態は、一般に、UEによって開始されるIPフローモビリティとネットワーク開始のIPフローモビリティのための技術が対象であってよい。様々な実施形態は、既存のネットワークベースのプロトコル又はそれらの拡張を用いて、UEと様々なネットワークインフラコンポーネントとの間のIPフロールーティング規則及び／又はフィルタを共有するための技術を提供する。様々な実施形態は、ネットワークベースのIPフローモビリティトリガを提供し、任意の3GPPネットワークIPフローの非存在下で3GPPネットワークへのUE接続が維持されることを保証するための技術を提供する。
【０００７】
様々な実施形態は、１以上の要素を含んでよい。要素は、特定の動作を実行するように構成された任意の構造を含んでよい。所与の一連の設計パラメータ又は性能制約について、所望されるように、各要素は、ハードウェア、ソフトウェア又はそれらの任意の組合せとして実装されてよい。実施形態は例示として限られた数の要素を用いて特定のトポロジで説明され得るが、代替のトポロジでは、実施形態に含まれる要素の数は、所与の実装について所望のように、多くても少なくてもよい。留意すべきこととして、「一実施形態」又は「実施形態」に対する任意の参照は、実施形態に関連して説明される特定の特徴、構造又は特性が少なくとも１つの実施形態に含まれることを意味する。本明細書では、「一実施形態では」、「一部の実施形態では」及び「様々な実施形態において」という語句が様々な場所に現れるが、全てが必ずしも同じ実施形態を指すものではない。
【０００８】
本明細書に開示される技術は、１以上の無線モバイルブロードバンド技術を用いる、１以上の無線接続を介するデータの伝送を含んでよい。例えば、様々な実施形態は、１以上の第三世代パートナーシッププロジェクト（3GPP）技術、3GPPロングタームエボリューション（LTE）技術及び／若しくは3GPP  LTE-Advanced（LTE-A）技術並びに／又はそれらの改訂、後代及び変形を含む規格に従う、１以上の無線接続を介する送信を含んでよい。様々な実施形態は、追加的又は代替的に、１以上の移動通信用グローバルシステム（GSM）（登録商標）／GSMエボリューション用の拡張データレート（EDGE）技術、ユニバーサル・モバイル・テレコミュニケーション・システム（UMTS）／高速パケットアクセス（HSPA）技術及び／若しくは汎用パケット無線サービス（GPRS）システムを伴うGSM（GSM／GPRS）技術、並びに／又はそれらの改訂、後代及び変形を含む規格に従う伝送を含んでよい。
【０００９】
無線モバイルブロードバンド技術及び／又は規格の例（限定ではない）としては、電気電子技術者協会（IEEE）802．16無線ブロードバンド規格（例えばIEEE802．16m及び／又は802．16p）、インターナショナル・モバイル・テレコミュニケーション・アドバンスド（IMT-ADV）、WiMAX（Worldwide  Interoperability  for  Microwave  Access）及び／又はWiMAXII、符号分割多元接続（CDMA）2000（例えばCDMA2000  1xRTT、CDMA2000EV-DO、CDMA  EV-DV）、高性能無線メトロポリタンエリアネットワーク（HIPERMAN）、無線ブロードバンド（WiBro）、高速ダウンリンクパケットアクセス（HSDPA）、高速直交周波数分割多重（OFDM）パケットアクセス（HSOPA）、高速アップリンクパケットアクセス（HSUPA）、高速パケットアクセス（HSPA）の技術及び／又は規格、それらの改訂、後代及び変形のうちいずれかが挙げられる。
【００１０】
いくつかの実施形態は、追加的または代替的に、他の無線通信技術及び／又は規格に従う無線通信を含むことができる。様々な実施形態で採用することのできる他の無線通信技術及び／又は標準の例としては、限定するものではないが、他のIEEE無線通信規格（例えばIEEE802.11、IEEE802.11a、IEEE802.11b、IEEE802.11g、IEEE802.11n、IEEE802.11u、IEEE802.11ac、IEEE802.11ad、IEEE802.11af及び／又はIEEE802.11ah規格）、IEEE802.11高効率無線ローカルエリアネットワーク（WLAN）（HEW）研究グループによって開発された高効率Wi-Fi規格、Wi-Fiアライアンス（WFA）無線通信規格（例えばWi-Fi、Wi-Fi  Direct、Wi-Fi  Directサービス、ワイヤレスギガビット（WiGig）、WiGigディスプレイ拡張（WDE）、WiGigバス拡張（WBE）、WiGigシリアル拡張規格及び／又はWFA近隣認識ネットワーク（NAN）タスクグループによって開発された（WSE）規格）、マシンタイプ通信（MTC）規格（例えば3GPP技術報告書（TR）23．887、3GPP技術仕様書（TS）22．368及び／又は3GPP  TS23．682において具現化されるもの）、及び／又は近距離通信（NFC）規格（例えばNFCフォーラムによって開発された規格）、上記のいずれかの改訂、後代及び変形が挙げられる。実施形態はこれらの例に限定されない。
【００１１】
１以上の無線接続を介する伝送に加えて、本明細書に開示の技術は、１以上の有線通信媒体による１以上の有線接続を介するコンテンツの伝送を含んでよい。有線通信媒体の例としては、ワイヤ、ケーブル、金属リード、プリント回路基板（PCB）、バックプレーン、スイッチファブリック、半導体材料、ツイストペア線、同軸ケーブル、光ファイバ等が挙げられる。実施形態はこの背景に限定されない。
【００１２】
図１は、IPフローモビリティのための技術を実施することのできる一部の実施形態を表せるような動作環境１００を示す。動作環境１００は、モバイルデバイス１０２、セルラ基地局１０４、ローカルエリアネットワーク（LAN）アクセスポイント１０８、パケットデータネットワークゲートウェイ（PDN-GW）１１６、サービングゲートウェイ（S-GW）１２６及びトラステッド無線アクセスゲートウェイ（TWAG）１１２を含んでよい。
【００１３】
図１に示されるように、モバイルデバイス１０２は、無線通信インタフェース１０６を介して基地局１０４と通信することができ、無線通信インタフェース１１０を介してアクセスポイント１０８と通信することができる。モバイルデバイス１０２は、スマートフォン、タブレット、ラップトップ、ネットブックその他の１以上の無線通信ネットワークと無線で通信可能なモバイルコンピューティングデバイスであってよい。一例として、モバイルデバイス１０２はユーザイクイップメント（UE）であってよい。基地局１０４はセルラ基地局（例えば進化型ノードＢ（eNB））であってよい。アクセスポイント１０８は、ローカルエリアを介する無線通信を提供することができる。アクセスポイント１０８は、例えばWi-Fiアクセスポイントであってよい。無線通信インタフェース１０６は、例えば3GPP無線ネットワークインタフェースとすることができ、eNB１０４は、モバイルデバイス１０２に3GPP無線アクセスネットワークへの接続性を提供することができる。無線通信インタフェース１１０は、例えばWi-Fi無線ネットワークインタフェースとすることができ、アクセスポイント１０８は、モバイルデバイス１０２にWi-Fi無線アクセスネットワークへの接続性を提供することができる。
【００１４】
基地局１０４は、S-GW１２６及びPDN-GW１１６を介して、インターネット１２２又はバックボーン通信ネットワークに接続されてよい。基地局１０４は、通信リンク１２８を介してS-GW１２６に接続されてよい。通信リンク１２８は有線接続リンクであってよい。通信リンク１２８は、例えばS1-U通信リンク又はインタフェースであってよい。S-GW１２６は、通信リンク１２０を介してPDN-GW１１６に接続されてよい。通信リンク１２０は有線接続リンクであってよい。通信リンク１２０は、例えばS5通信リンク又はインタフェースであってよい、。PDN-GW１１６は、通信リンク１２４を介して、インターネット１２２又はバックボーン通信ネットワークに接続されてよい。通信リンク１２４は有線接続リンクであってよい。通信リンク１２４を介する通信は、パケットベースであってよい。通信リンク１２４及びインターネット１２２は共に、パケットデータネットワーク（PDN）を介する外部通信を提供するとみなされてよい。
【００１５】
アクセスポイント１０８は、TWAG１１２を介してインターネット１２２又はバックボーン通信ネットワークに接続されてよい。TWAG１１２は、トラステッド無線アクセスネットワーク（TWAN）へのアクセスを提供することができる。アクセスポイント１０８は、通信リンク１１４を介してTWAG１１２に接続されてよい。通信リンク１１４は有線接続リンクであってよい。TWAG１１２は、通信リンク１１８を介してPDN-GW１１６に接続されてよい。通信リンク１１８は有線接続リンクであってよい。通信リンク１１８はS2a通信リンクであってよい。或いは、アクセスポイント１０８は、S2b通信リンクを介してPDN-GW１１６に接続される進化型パケットデータゲートウェイ（ePDG）に接続されてよい。この代替では、ePDGは、非トラステッド無線ローカルエリアアクセスネットワークへのアクセスを、モバイルデバイス１０２に提供することができる。本明細書に記載の技術は、TWAGによって提供されるTWANとePDGによって提供される非トラステッドWLANの両方に適用可能である。例示のみを目的として、図面及び説明はTWAG／TWANに焦点を合わせることがあるが、それらは、任意のメッセージ又はTWAN／TWAGの任意の操作若しくは構成の生成、送信、受信及び処理は非トラステッドWLAN／ePDGを含む動作環境にも同様に適用可能であるので、そのように限定されない。更に、マルチアクセスPDN接続への非3GPPネットワークアクセスを追加するための本明細書に記載の技術は、TWANに限定されるものではないが、非トラステッドWLANへのアクセスをマルチアクセスPDNに追加することを含むことができる。そのようなものとして、本明細書に記載の技術により、マルチアクセスPDN接続に対するトラステッド又は非トラステッドWLAN接続の提供が可能になり、また、トラステッド及び非トラステッドWLAN接続と3GPP接続との間でIPフローの移行が可能になる。
【００１６】
図１に示されるネットワークエレメントは、パケット交換ネットワークへのアクセスを提供するように動作することができる。一例として、図１に示されるネットワークエレメントは、進化型パケットコア（EPC）に応じて動作することができる。EPCは、3GPPP技術（例えばGSM、GPRS、WCDMA（登録商標）、HSPA及びLTE）と非3GPP技術（例えばWiMAX及びWi-Fi）との間のインターネットワーキングを可能にする、インターネットプロトコル（IP）パケットスイッチコアネットワークである。基地局１０４は、モバイルデバイス１０２に3GPP無線ネットワークへのアクセスを提供することができ、アクセスポイント１０８は、モバイルデバイスに非3GPP無線ネットワークへのアクセスを提供することができるが、EPCにより、IPデータトラフィックは、モバイルデバイス１０２がどの無線アクセス技術（例えば3GPP又は非3GPP）を用いてインターネット１２２に接続するのかに関係なく、同様の方式で管理することができる。PDN-GW１１６は、3GPP無線ネットワークと非3GPP無線ネットワークとの間のモビリティを提供するためのアンカーポイントであるとみなすことができる。TWAG１１２は、アクセスポイント１０８を介して利用可能なTWANへのEPCアクセスを提供するとみなすことができる。
【００１７】
モバイルデバイス１０２は、複数の同時サービスを提供することが可能であってよい。サービスは、インターネットデータ接続を用いるアプリケーションを含むことができる。例えば、モバイルデバイス１０２は、インターネットブラウジングサービス（例えばハイパーテキスト転送プロトコル（HTTP）接続を介する）、非会話型ビデオストリームサービス及びボイスオーバーIP（VoIP）ストリームサービスを同時に提供することが可能であってよい。各インターネットデータ接続／サービスは、IPフローであるとみなされてよい。IPフローは、基地局１０４を経由して、又はアクセスポイント１０８を経由して、インターネット１２２からモバイルデバイス１０２に提供されてよい。
【００１８】
基地局１０４を介して提供されるIPフローは、3GPP無線ネットワークアクセスシステムを経由してモバイルデバイス１０２に提供されてよい。アクセスポイント１０８を介して提供されるIPフローは、非3GPP無線ネットワークアクセスシステムを経由して提供されてよい。IPフローが3GPP又は非3GPP無線ネットワークアクセスシステムを介して提供されるかに関わらず、IPフローは、PDN-GW１１６を介してルートされてよい。モバイルデバイス１０２に対して提供されるIPフローは、PDN-GW１１６と関連するとみなされてよい。同様に、PDN-GW１１６を介してルートされるIPフローは、特定のエンドユーザデバイス（例えばモバイルデバイス１０２）に関連するとみなされてよい。
【００１９】
IPフローは、１つの無線ネットワークアクセスシステムから別のものに移行されることがある。一例として、IPフローは、3GPP無線ネットワークアクセスシステムを介して提供される（例えばモバイルデバイス０２と基地局１０４との間の通信を介する）ものとから、非3GPP無線ネットワークアクセスシステムを介する（例えば、モバイルデバイス１０２とアクセスポイント１０８との間の通信を介する）ものに移行されることがある。同様に、IPフローは、非3GPP無線ネットワークアクセスシステムを介する（例えば、モバイルデバイス１０２とアクセスポイント１０８との間の通信を介する）ものから、3GPP無線ネットワークアクセスシステムを介する（例えば、モバイルデバイス１０２と基地局１０４との間の通信を介する）ものに移行されることがある。第１の無線ネットワークアクセスシステムから第２の無線ネットワークアクセスシステムへのIPフローの移行は、モバイルデバイス１０２により、又は無線アクセスシステムのネットワークコンポーネント（例えばPDN-GW１１６）により、開始されてよい。第１の無線ネットワークアクセスシステムから第２の無線ネットワークアクセスシステムへのIPフローの移行は、IPフローモビリティと呼ばれることがある。
【００２０】
本明細書には、モバイルデバイス１０２によって開始される、又は無線ネットワークアクセスシステムのネットワークコンポーネント若しくはインフラコンポーネントによって開始されるＩＰフローモビリティを含むＩＰフローモビリティのための技術が開示される。本明細書には更に、ネットワークベースのプロトコルを用いて、ＩＰフローモビリティの管理、開始及び実行を提供するネットワークベースのＩＰフローモビリティ（ＮＢＩＦＯＭ）のための技術が開示される。ネットワークベースのプロトコルを用いることにより、ＩＰフローモビリティは、第１及び第２の無線ネットワークアクセスシステムをサポートするコア間ネットワーク内で発生するＩＰフローモビリティを伴う、モバイルデバイス１０２又はネットワークコンポーネント若しくはインフラコンポーネントによって開始されてよい。本明細書に開示されるＩＰフロー技術は、モバイルデバイス１０２が3GPP無線ネットワークの異なる領域とローカルで提供される異なる非3GPP無線ネットワークとの間を移行するので、サービス継続性を有効にすることができ、また、サービスにおいて分断を生じることなく、モバイルデバイス１０２は、異なる無線ネットワークアクセスシステム間で既存のIPフローを移行することができる。
【００２１】
異なる利用可能な無線ネットワークアクセスシステム間でのIPフローの分布は、コアネットワーク、モバイルデバイス１０２又はネットワークのオペレータによって提供されるポリシー及び／又は規則に基づくことができる。3GPPと非3GPPのアクセスが両方とも利用可能であるとき、IPフロー規則を用いて、提供するアクセスの種類に関するデフォルトの規則を、フローの特定のタイプに設定することができる（例えば、デフォルトでのビデオストリーミングIPが、利用可能なときにWi-Fiネットワークに移行される）。IPフロー規則は、フローの特性（例えばサービス品質（QoS）要件）、ユーザ又はネットワークオペレータの選択、ユーザ適用選択（例えばアクセス選択）、及び／又は利用可能なアクセスの性能（例えば、ネットワーク輻輳）又はモビリティイベント（例えば、利用可能な非3GPPアクセスからのモバイルデバイス１０２の移行）に基づいて、IPフロー移行を開始するためのトリガを含む、フローの分布をガイドすることができる。本明細書には、IPフロー規則を提供し、それに応じて動作して、モバイルデバイス１０２へのシームレスなインターネットデータ接続を提供するための技術が開示される。
【００２２】
ルーティング規則は、ルーティングフィルタ及び／又はルーティングアクセスタイプの仕様を含んでよい。ルーティングフィルタは、１以上のIPフローを特定することのできるIPヘッダパラメータの値又は範囲を含んでよい。ルーティングアクセスタイプは、特定のIPフローがルーティングされる特定のアクセスネットワーク（例えば3GPP又はWLAN）を識別することができる。したがって、ルーティング規則は、どのタイプのIPフローが各タイプのアクセスを介して提供されるかを指定することができる。ルーティング規則は、特定のIPフロー又は特定のタイプのIPフローを移行させるための条件、パラメータ又は選択を含むことができる。
【００２３】
本明細書に開示された技術に従って実施されるIPフローモビリティの例として、モバイルデバイス１０２のユーザは、最初に、基地局１０４と通信することによって提供される第１の無線ネットワークアクセスシステムのみに接続することができる。モバイルデバイス１０２は、ビデオストリームIPフローと電子メールデータ接続IPフローを同時に提供されることができる。それから、モバイルデバイス１０２は、アクセスポイント１０８に近接することができる。アクセスポイント１０８は、モバイルデバイス１０２に、第２の無線ネットワークアクセスシステムへの接続性を提供することができる。第２の無線ネットワークシステムは、例えばWi-Fiネットワークであってよい。Wi-Fiネットワークは、ユーザに対して、無償でインターネット１２２への接続性を提供することができる。更に、Wi-Fiネットワークは、特定の期間において、第１の無線ネットワークアクセスシステムよりもより高い帯域幅とより良好なQoS接続を提供することができる。結果として、IPフロー規則（又はルーティング規則）に基づき、ビデオストリームのIPフローは、第１の無線ネットワークアクセスシステムからWi-Fiネットワークに移行されてよい。ビデオストリームIPフローはPDN-GW１１６を介してルーティングされてよく、それにより、モバイルデバイス１０２のユーザの観点からシームレスなIPフローモビリティ変化を保証することができる。IPフローは、3GPPと非3GPPネットワークの両方へのアクセスを提供する単一のPDN接続を介して提供されるので、PDN-GW１１６は、したがって、複数のアクセス（マルチアクセス）PDNとして動作することができる。電子メールデータ接続IPフローは、第１の無線ネットワークアクセスシステムを介して提供されることを維持又は継続することができる。後の時点で、例えば、Wi-Fiネットワークが利用可能になった（例えば、モバイルデバイス１０２がアクセスポイント１０８によって提供されるカバレッジエリアから移動した）ときに、ビデオストリームIPフローは、第１の無線ネットワークアクセスシステムに戻ってよい。
【００２４】
本明細書では、IPフローが第１の無線通信アクセスシステムから第２の無線通信アクセスシステムに移行される技術が開示される。特に、特定の技術によれば、１以上のIPフローが、3GPP無線アクセス通信ネットワークから非3GPP無線アクセス通信ネットワークに移行されてよい。更に、特定の技術によれば、１以上のIPフローが、非3GPP無線アクセス通信ネットワークから3GPP無線アクセス通信ネットワークに移行されてよい。3GPP無線アクセス通信ネットワークはロングタームエボリューション（LTE）ネットワークであってよい。非3GPP無線アクセス通信ネットワークはWi-Fiネットワークであってよい。
【００２５】
本明細書に開示される技術は、モバイルデバイス１０２とTWAG１１２が通信するために用いる通信プロトコルへの拡張と、TWAG１１２とPDN-GW１１６が3GPP無線ネットワークアクセスシステムと非3GPP無線ネットワークアクセスシステムとの間のIPフローモビリティを実現するために通信するために用いる通信プロトコルへの拡張と、を提供する。本明細書に開示される技術により、IPフローは3GPP無線アクセスシステムから非3GPP無線アクセスシステムに移動することができ、また、IPフローは、非3GPP無線アクセスシステムから3GPP無線アクセスシステムに移動することができる。
【００２６】
本明細書に開示される無線リンク制御プロトコル（WLCP）への拡張は、UE１０２とTWAG１１２との間の通信を提供するために採用されてよく、また、IPフローモビリティを容易にするための基礎を提供することができる。一般的な無線パケットサービス（GPRS）トンネリングプロトコル（GTP）トンネルプロトコル汎用パケット無線サービス（GPRS）への拡張は、TWAG１１２とPDN-GW１１６との間の通信を提供するために採用されてよく、また、IPフローモビリティを容易にするための基礎を提供することができる。実施形態はこれらの例示的な技術に限定されない。
【００２７】
図２は、本明細書に記載の１以上の実施形態によって実行される動作を表すことのできるメッセージフロー２００の一実施形態を示す。メッセージフロー２００は、複数のネットワークエレメント間で交換される例示的なメッセージを示す。図２に示されるように、メッセージフロー２００は、UE２０２、TWAG２０４、PDN-GW２０４、ホームポリシー・アンド・チャージングルール・ファンクション（hPCRF）２０８、認証、許可及びアカウンティング（AAA）機能を有するホーム加入者サーバ（HSS）２１０、アクセスネットワーク発見選択機能（ANDSF）２１２及びeNB２１４間の通信を示す。
【００２８】
メッセージフロー２００は、非3GPP無線通信ネットワークへのアクセスを追加するためのUE開始のメッセージフロー２２２を含んでよい。メッセージフロー２２２は、UE２０２が非3GPP無線ネットワーク（例えばWi-Fiネットワーク）への接続を追加できるようにするための、１以上のネットワーク構成エレメントまたはデバイスによって実施されるステップ又は動作を含んでよい。
【００２９】
動作ステップ２１６，２１８及び２２０は、メッセージフロー２２２を進めることができる。ステップ２１６では、UE２０２は3GPP無線ネットワークアクセスシステムに接続する。そのようなものとして、UE２０２は、3GPPネットワークを介してPDN-GW２０６を介するインターネット接続を有することができる。メッセージフロー２２２は、その後、UE２０２に関して、PDN-GW２０６を介して非3GPP接続を追加するために使用又は実施されてよい。ステップ２１８では、UE２０２は、基地局２１４と通信することにより、無線アクセスネットワーク（RAN）からのデータトラフィックをステアリングするための規則及び／又はポリシーを取得することができる。その代替又は追加として、ステップ２２０では、UE２０２は、ANDSF２１２からデータトラフィックをステアリングするための規則及び／又はポリシーを取得することができる。UE２０２とANDSFは、ｓ１４インタフェースを介して通信することができる。データトラフィックをステアリングするための規則及び／又はポリシーは、UE２０２に、IPフローを管理するための規則を提供することができる（例えば、3GPPネットワークと非3GPPネットワークとの間にどの程度異なるIPフローが分布するのかを決定する）。このような規則及び／又はポリシーは、特定のタイプのIPフローに用いられる無線アクセスのタイプを特定することができる（例えば、全てのビデオIPフローは、アクセスが利用可能である場合に3GPP無線アクセスを介してルーティングされる）。規則及び／又はポリシーは、例えば、ユーザ選択、ネットワーク構成、データトラフィック状況、QoS要件、信号強度及び帯域幅の利用可能性に基づいてよい。
【００３０】
メッセージフロー２２２は、UE２０２がWLCP  PDN接続要求メッセージを生成するステップ２２４から開始されてよい。WLCP  PDN接続要求メッセージは、UE２０２によって送信され、TWAG２０４によって受信されてよい。WLCP  PDN接続要求メッセージは、PDN-GW２０６に対する別個の新しい接続の作成とは対照的に、利用可能な非3GPP無線ネットワーク（UE２０２によって認識及び／又は識別される）へのアクセスが既存のPDN-GW２０６接続に追加されることを示すことができる。指示は、追加のアクセス接続としてWLANを追加することにより、既存のPDN-GW  ２０６接続が多重アクセスPDN接続として提供されることを特定することができる。この指示は、既存のPDN-GW２０６接続の仕様を特定するようにWLCP  PDN接続要求メッセージ２２４の要求タイプフィールドを設定することによって、作成されてよい。一実施形態では、要求タイプフィールドは、同じことを示すIPフローモビリティ又は代替値若しくは設定に設定されてよい。したがって、TWAG２０６は、UE２０２からのWLCP  PDN接続要求メッセージを、UE２０２が、3GPPネットワークを介してインターネット接続を提供するのに既に使用されている既存のPDN-GW２０６接続（マルチアクセスPDN接続となる接続を提供することにより）を介して、非3GPPネットワークへのアクセスの開始を試みているという指示であるとして解釈する。
【００３１】
WLCP  PDN接続要求メッセージは、更新されたルーティング規則を含んでよい。更新されたルーティング規則は、１以上のIPフローのハンドリングを特定してよい。例えば、更新されたルーティング規則は、特定のタイプのIPフローがどのような状況下で第１の無線ネットワークアクセスシステムから第２の無線ネットワークアクセスシステムにルーティングされるのかを特定することができる。更新されたルーティング規則は、WLCP  PDN接続要求メッセージのプロトコル構成オプション（PCO）に含まれてよい。或いは、更新されたルーティング規則は、WLCP  PDN接続要求メッセージに直接追加されてよい。UE２０２は、更新されたルーティング規則を新しいルーティング規則として特定することができる。UE２０２は、更新されたルーティング規則を変更されたルーティング規則として特定することができる。変更されたルーティング規則は、既存のルーティング規則のルーティングアクセスタイプ（例えば、3GPP又は非3GPPネットワークルーティング）を調整することができる。一例として、変更されたルーティング規則は、特定のアクセス（結合インジケータ（BID）によって識別される）を介する特定のデータトラフィック（例えばフロー識別子（FID）によって識別される）のルーティングを特定することができる。
【００３２】
更に、更新されたルーティング規則は、単純に既存のルーティング規則を除去することができる。新しいルーティング規則の場合、UE２０２は、新しいFIDモビリティオプションを特定することができる。更に、UE２０２は、新しいルーティングフィルタ記述をWLCP  PDN接続要求メッセージに含めることができる。
【００３３】
ステップ２２６では、TWAG２０４がセッション作成要求メッセージ２２６を生成する。セッション作成要求メッセージは、UE２０２によって特定された更新されたルーティング規則を含むことができる。TWAGは、セッション作成要求メッセージをPDN-GW２０６に送信してよい。そのようなものとして、更新されたルーティング規則はPDN-GW２０６に提供されてよい。更新されたルーティング規則は、セッション作成要求メッセージのPCOに含まれてよい。セッション作成要求メッセージは、GTPを用いてPDN-GW２０６に提供されてよい。
【００３４】
ステップ２２８では、PDN-GW２０６はhPCRF２０８とインタラクトしてよい。特に、PDN-GW２０６は、IP接続アクセスネットワーク（IP-CAN）セッション確立プロシージャを開始してよい。ステップ２３０では、PDN-GW２０６とHSS／AAA２１０とが通信して、PDN-GWアドレスを更新してよい。ステップ２３２では、PDN-GW２０６がセッション作成応答メッセージを生成し、メッセージをTWAG２０４に送信してよい。ステップ２３４では、TWAG２０４とPDN-GW２０６との間にGTPトンネルが確立されてよい。ステップ２３６では、TWAG２０４がPDN接続受入れメッセージを生成及び送信してよい。ステップ２３８では、UE２０２がPDN接続完了メッセージを生成お及び送信してよい。
【００３５】
ステップ２４０では、TWAG２０４はWLCP  PDN接続応答を生成してよい。WLCP  PDN接続応答メッセージ２４０は、要求された非3GPP無線アクセスが既存のPDN-GW２０６接続を介して（マルチアクセスPDN接続を介して）利用可能であることを示すことができる。WLCP  PDN接続応答メッセージ２４０は、ステップ２２４で提供されたWLCP  PDN接続要求メッセージにおいてUE２０２によって要求された更新ルーティング規則を、例えば、PDN-GW２０６が後続のIPフロー移行を可能にすることにより、更新されたルーティング規則が受け入れられたという確認として含むことができる。更新されたルーティング規則は、WLCP  PDN接続応答メッセージのPCOフィールドに追加されてよい。或いは、更新されたルーティング規則は、WLCP  PDN接続応答メッセージに直接追加されてよい。
【００３６】
論理フロー／メッセージフロー２２２の終わりには、UE２０２は、同じ以前の既存のPDN-GW２０６接続を介して（例えば、それによりマルチアクセスPDN接続が作成される）、3GPPと非3GPPの無線ネットワークアクセスを有することができる。メッセージフロー２２２を実施して、3GPPアクセスを既存のPDN接続に追加することもできる。例えば、UE２０２は、メッセージフロー２２２を開始する前に非3GPPアクセスのみを有してよい。その後メッセージフロー２２２を実施して、3GPPネットワーク接続をPDN-GW２０６に追加することができる。
【００３７】
図３は、本明細書に記載の１以上の実施形態によって実行される動作を表すことのできるメッセージフロー３００の一実施形態を示す。メッセージフロー３００は、複数のネットワークエレメント間で交換される例示的なメッセージを示す。図３に示されるように、メッセージフロー２００は、UE２０２、TWAG２０４、PDN-GW２０４、hPCRF２０８、HSS／AAA２１０、ANDSF２１２及びeNB２１４間の通信を示す。
【００３８】
メッセージフロー３００は、非3GPP無線通信ネットワークと3GPP無線通信ネットワークとの間でIPフローを移行させるためのUE開始のメッセージフロー３０４を含んでよい。図３に示されるように、UE２０２は、ステップ３０２によって表されるように、同じ既存のPDN-GW２０６接続を介して（例えばマルチアクセスPDN接続を介して）、非3GPPと3GPPの両方の無線ネットワークアクセスを有することができる。ステップ３０２では、１以上のIP既存フローは、非3GPP無線ネットワークアクセスを介してルーティングされてよく、１以上の既存のIPフローは、同時に3GPP無線ネットワークアクセスを介してルーティングされてよい。UE開始のメッセージフロー３０４は、１以上のIPフローを非3GPP無線ネットワークから3GPP無線ネットワークに移行するための、或いは１以上のIPフローを3GPP無線ネットワークから非3GPP無線ネットワークに移行するための、UE開始のIPフローモビリティプロセスであってよい。
【００３９】
ステップ３０６では、UE２０２は、WLCPフローモビリティ要求メッセージを生成してよい。WLCPフローモビリティ要求メッセージは、移行されるIPフローの指示を含むことができる。例えば、WLCPフローモビリティ要求メッセージは、１以上のIPフローの識別を含むことができ、対応して、１以上のIPフローの各々がどこに移行されるかを示すことができる。WLCPフローモビリティ要求メッセージは、１以上のIPフローに関する更新されたルーティング規則を含むことができる。更新されたルーティング規則は、WLCPフローモビリティ要求メッセージのPCOフィールドに含まれてよい。代替として、既存のWLCPメッセージは、IPフローモビリティに既存のWLCPメッセージのPCOフィールドに含まれるルーティング規則を求めるために用いられてよい。
【００４０】
UE２０２は、WLCPフローモビリティ要求メッセージをTWAG２０４に送信してよい。これに応じて、TWAG２０４は、ステップ３０８でベアラリソースコマンド又はベアラ修正要求メッセージを生成してよい。ベアラリソースコマンド又はベアラ修正要求メッセージは、メッセージのPCOフィールドに更新されたルーティング規則を含むことができる。或いは、ベアラリソースコマンド又はベアラ修正要求メッセージは、更新されたルーティング規則をメッセージに直接含めることができる。ベアラリソースコマンド又はベアラ修正要求メッセージは、更新されたルーティング規則に関連するIPフローを識別することもできる。一例として、ベアラリソースコマンド又はベアラ修正要求メッセージは、FIDを含むことができる。TWAGは、ベアラリソースコマンド又はベアラ修正要求メッセージをPDN-GW２０６に送信してよい。
【００４１】
ステップ３１０では、PDN-GW２０６及びhPCRF２０８はインタラクトしてよい。PDN-GW２０６及びhPCRF２０８は、IP-CANセッション確立プロシージャ又はIP-CANセッション変更プロシージャを開始してよい。このインタラクションの一部として、hPCRF２０８は更新されたルーティング規則を記憶してよい。hPCRF２０８は、更新されたルーティング規則に基づいてポリシーアンドチャージング制御（PCC）規則を更新してもよい。hPCRF２０８はそれからアクノレッジメントをPDN-GW２０６に提供してよく、任意の更新されたPCC規則を適宜含めてもよい。
【００４２】
ステップ３１２では、PDN-GW２０６は、ベアラリソースコマンド又はベアラ変更応答メッセージを生成してよい。生成されたベアラリソースコマンド又はベアラ変更応答メッセージは、TWAG２０４に送信されてよい。ステップ３１２の一部として、PDN-GW２０６は、3GPP技術仕様書（TS）２３．４０１に記載されるような専用のベアラ起動プロシージャ、ベアラ変更プロシージャ又はベアラ解除プロシージャを実施してよい。ステップ３１２の一部として、PDN-GW２０６は、hPCRFに、提供されたPCC規則又は決定が施行され得るか否かを示してよい。TWAG２０４に送信されたベアラリソースコマンド又はベアラ変更応答メッセージは、IPフローにおける要求された変更が実施され得るか否かを示すことができる。ベアラリソースコマンド又はベアラ変更応答メッセージは、メッセージのPCOフィールドに更新されたルーティング規則を含むこともできる（例えば、更新されたルーティング規則の受入れの指示として）。或いは、ベアラリソースコマンド又はベアラ修正要求メッセージは、更新されたルーティング規則をメッセージに直接含めることができる。
【００４３】
ステップ３１４では、TWAGは、WLCPフローモビリティ応答メッセージを生成してよい。WLCPフローモビリティ応答メッセージは、ステップ３０６でUE２０２により要求及び開始されたIPフロー変更が実施可能か否か、又は実施されるか否かを示すことができる。TWAGは、WLCPフローモビリティ応答メッセージをUE２０２に送信することができる。WLCPフローモビリティ応答メッセージは、更新された規則が受け入れられ、実施可能であるか実施される予定であることの指示として、要求された更新されたルーティング規則を、WLCPフローモビリティ応答メッセージのPCOフィールドに含むことができる。
【００４４】
図４は、本明細書に記載の１以上の実施形態によって実行される動作を表すことのできるメッセージフロー４００の一実施形態を示す。メッセージフロー４００は、複数のネットワークエレメント間で交換される例示的なメッセージを示す。図４に示されるように、メッセージフロー４００は、UE２０２、TWAG２０４、PDN-GW２０４、hPCRF２０８、HSS／AAA、ANDSF２１２及びeNB２１４間の通信を示す。
【００４５】
メッセージフロー４００は、非3GPP無線通信ネットワークと3GPP無線通信ネットワークとの間でIPフローを移行させるためのネットワーク開始のメッセージフロー４０８を含んでよい。ネットワーク開始とは、UE２０２以外の3GPP無線通信ネットワーク（例えばPDN-GW２０６によって開始される）のコンポーネントが、UE２０２に対して提供される１以上のIPフローが移行又は調整されることを決定することを指す。
【００４６】
動作ステップ２１６、４０２、４０４、４０６、３０２は、メッセージフロー４０８を進めることができる。ステップ２１６では、UE２０２が3GPP無線ネットワークアクセスシステムに接続される。そのようなものとして、UE２０２は、3GPP無線ネットワークを経由してPDN-GW２０６を介するインターネット接続を提供されてよい。ステップ４０２では、PDN-GW２０６は、eNB２１４と通信することにより、データトラフィックをステアリングするための規則及び／又はポリシーをRANから取得してよい。その代替又は追加として、ステップ４０４では、PGN-GW２０６は、データトラフィックをステアリングするための規則及び／又はポリシーをANDSF２１２から取得してよい。PDN-GW２０６及びANDSF２１２は、ｓ１５インタフェースを介して通信してよい。PDN-GW２０６は、PDN-GW２０６へのアクセスを有するオペレータにより、ローカルでルーティング規則を提供されてもよい。データトラフィックをステアリングするための規則及び／又はポリシーは、PDN-GW２０６に、IPフローを管理する（例えば、どの程度異なるUE２０２に関連するIPフローを管理するのかを決定する）ための規則を提供することができる。このような規則及び／又はポリシーは、特定のタイプのIPフローに用いられる無線アクセスのタイプを特定することができる（例えば、全てのビデオIPフローは、アクセスが利用可能である場合に3GPP無線アクセスを介してルーティングされる）。規則及び／又はポリシーは、例えば、ユーザ選択、ネットワーク構成、データトラフィック状況、QoS要件、信号強度及び帯域幅の利用可能性に基づいてよい。
【００４７】
ステップ４０６では、ステップ２１６で最初に利用可能な既存のPDN-GW２０６接続を介して、UE２０２に非3GPP無線ネットワークアクセスが提供される（例えば、それによりマルチアクセスPDN接続を開く）。ステップ４０６は、図２に関連して説明されたメッセージフロー２２２に従って実施されてよい。したがって、ステップ４０６は、既存のPDN-GW２０６接続を介してUE２０２に非3GPP無線ネットワークアクセスを提供する一連のサブステップを通じて、実施されてよい。ステップ４０６に続いて、メッセージフロー４０８の開始の前に、UE２０２は、ステップ３０２に示されるように、既存のPDN-GW２０６接続を介して非3GPPと無線ネットワークの両方へのアクセスを提供されてよい（例えば、マルチアクセスPDN接続）。この動作状態になった後、ネットワーク開始のIPフローモビリティシーケンス４０８が実施されてよい。
【００４８】
メッセージフロー４０８の一部として、ステップ４１０では、PGN-GW２０６がhPCRF２０８とIP-CANセッション変更プロシージャ４１０を開始する。IP-CANセッション変更プロシージャの一部として、PGN-GW２０６は、非3GPP無線ネットワークについての情報をhPCRF２０８に提供してよい。hPCRF２０８は、ベアラバインディング・イベントレポーティングファンクション（BBERF）（PDN-GW２０６と共に位置してよく、或いはPDN-GW２０６の機能部分であってよい）がQoS要件を通知されることを保証してよい。これは、3GPP  TS２３．２０３に規定されるようなゲートウェイ制御セッション及びQoS規則提供プロシージャによって完了されてよい。
【００４９】
ステップ４１２では、PDN-GW２０６は、ベアラ更新要求メッセージを生成してよい。ベアラ更新要求メッセージは、第１の無線ネットワークアクセスから第２の無線ネットワークアクセスに移行されるUE２０２に関連するIPフローを識別することができる。ベアラ更新要求メッセージは更に、更新されたルーティング規則を含む追加的なIPフロー情報を提供することができる。更新されたルーティング規則は、メッセージに直接含まれてよく、或いは、メッセージのPCOフィールドに含まれてよい。更新されたルーティング規則は、ベアラ更新要求メッセージのPCOフィールドに配置されてよい。PDN-GW２０６は、ベアラ更新要求メッセージをTWAG２０４に送信してよい。
【００５０】
ステップ４１４では、TWAG２０４は、WLCPフローモビリティ指示メッセージを生成してよい。WLCPフローモビリティ指示メッセージはUE２０２に送信されてよい。WLCPフローモビリティ指示メッセージは、UE２０２に、そのIPフローの１以上に対して実行可能又は実行予定の変更を通知することができる。WLCPフローモビリティ指示メッセージは、更新されたルーティング規則の指示を提供することもできる。更新されたルーティング規則は、WLCPフローモビリティ指示メッセージにおいて直接搬送されてよく、或いは、WLCPフローモビリティ指示メッセージのPCOフィールドに配置されてよい。
【００５１】
ステップ４１６では、UE２０２は、WLCPフローモビリティ受入れメッセージを生成してよい。WLCPフローモビリティ受入れメッセージは、3GPP無線アクセスネットワークによって指示及び開始されたように、１以上の更新されたルーティング規則に基づいて移行及び／又は調整されるIPフローについてのアクノレッジメントの指示を含むことができる。UE２０２によって受入れ又はアクノレッジされた更新されたルーティング規則は、WLCPフローモビリティ受入れメッセージのPCOフィールドに配置されてよい。WLCPフローモビリティ受入れメッセージは、TWAG２０４に送信されてよい。
【００５２】
ステップ４１８では、TWAG２０４は、ベアラ更新応答メッセージを生成してよい。ベアラ更新応答メッセージは、UE２０２がネットワーク開始のIPフロー管理をアクノレッジ及び／又は受入れしたことを示すことができる。TWAG２０４は、ベアラ更新応答メッセージをPDN-GW２０６に送信してよい。ベアラ更新応答メッセージは、更新されたルーティング規則をメッセージに直接含むことができ、或いは、メッセージのPCOフィールドに含むことができる（例えば、ルーティング規則がアクノレッジされたという指示として）。
【００５３】
UE２０２は、非3GPP無線ネットワークアクセスシステムに移行されたUE２０２に関連するIPフローの全て有してよい。その際、3GPP無線ネットワークアクセスシステム（例えばLTE無線ネットワークシステム）を介してUE２０２と関連するIPフローはない。UE２０２を3GPPネットワークへのアクセスからデタッチし、その後再アタッチすることは、面倒なプロセスであることがあり、帯域幅集中シグナリングを要することがある。
【００５４】
したがって、一部の実施形態では、UE２０２が3GPPネットワークを介するIPフローを既に有さないとき、UE２０２は、3GPPネットワークを介するルーティングエリア更新（RAU）又はトラッキングエリア更新（TAU）を時折又は定期的に実行して、UE２０２への3GPPネットワーク接続を維持するように動作してよい。
【００５５】
更に、一部の実施形態では、3GPPネットワークにとって、UE２０２が3GPPネットワークを介するIPフローを既に有さないとき、UE２０２をデタッチしないことが望ましい。このような状況でUE２０２への3GPP接続を維持するために、PDN-GW２０６は、3GPPネットワーク接続（例えばLTEネットワーク通信）が維持され、停止又はデタッチされないという指示を受信し処理してよい。指示は、ネットワークベースのIPフローモビリティに関して、UE２０２に対して利用可能な3GPPネットワーク接続が構成されるという指示であってよい。一例として、指示は、WLCP  PDN接続要求メッセージ（例えば、メッセージフロー２２２のステップ２２４で生成される）における要求タイプフィールドの設定であってよい。この指示に基づき、PDN-GW２０６は、UE２０２との3GPPネットワーク接続を維持してよい（例えば、PDN-GW２０６と、UE２０２にサービス提供する対応するeNBとを介して）。
【００５６】
UE２０２がオフに切り替えられた場合、或いはUE２０２とのPDN-GW２０６接続が全て停止された場合PDN-GW２０６はデタッチプロシージャを開始してよい。一部の実施形態では、PDN-GW２０６は、特定期間、UE２０２への3GPPネットワーク接続を維持してよい（IPフローを欠く）。一例として、PDN-GW２０６は、PDN-GW２０６が全てのIPフローが3GPPネットワークから非3GPPネットワークに移行したと実質的に決定した実質的な時間に、タイマーを開始してよい。タイマー満了の前に3GPPネットワーク接続上でIPフローが搬送されない限り、タイマーの満了時、PDN-GW２０６は、UE２０２との3GPPネットワーク接続を停止してよい。PDN-GW２０６は、ネットワークのオペレータの選択（例えば、オペレータのPDN-GW２０６の構成）、ネットワーク負荷、PDN-GW２０６に関連するUE２０２又は他のUEに対して提供されるIPフローのタイプに基づき、UE２０２が3GPPネットワークアクセスからデタッチされるべきか否かを決定してもよい
図５は装置５００のブロック図を示す。装置５００は、UE開始のIPフローモビリティ及び／又はネットワーク開始のIPフローモビリティへの応答に関する技術を実施するUEを表すことができる。そのようなものとして、装置５００は、図２〜４に関連して説明された、本明細書に記載のUE２０２を含むメッセージフローの一部（UE２０２が関与するメッセージの生成、送信、受信及び処理等）を実施してよい。図５に示されるように、装置５００は、プロセッサ回路５０２、記憶部５０４、通信コンポーネント５０６及びディスカバリ管理コンポーネント５０８等の複数の要素を備えることができる。しかしながら実施形態は、この図に示される要素の種類、数又は配置に限定されない。
【００５７】
一部の実施形態では、装置５００はプロセッサ回路３０２を備えてよい。プロセッサ回路５０２は、任意のプロセッサ又は論理デバイスを用いて実施されてよく、例えば、複合命令セットコンピュータ（CISC）マイクロプロセッサ、縮小命令セットコンピューティング（RISC）マイクロプロセッサ、超長命令語（VLIW）マイクロプロセッサ、ｘ８６命令セット対応プロセッサ、命令セットの組合わせを実施するプロセッサ、マルチコアプロセッサ（デュアルコアプロセッサやデュアルコアモバイルプロセッサ等）その他のマイクロプロセッサ又は中央処理装置（CPU）を用いて実施されてよい。プロセッサ回路５０２は、コントローラ、マイクロコントローラ、組込みプロセッサ、チップマルチプロセッサ（CMP）、コプロセッサ、デジタルシグナルプロセッサ（DSP）、ネットワークプロセッサ、メディアプロセッサ、入出力（I／O）プロセッサ、媒体アクセス制御（MAC）プロセッサ、無線ベースバンドプロセッサ、特定用途向け集積回路（ASIC）、フィールド・プログラマブル・ゲート・アレイ（FPGA）、プログラマブル論理回路（PLD）等の、専用プロセッサとして実現されてもよい。一実施形態では、例えば、プロセッサ回路５０２は、インテル社（カリフォルニア州サンタクララ）製のプロセッサ等の汎用プロセッサとして実現されてよい。実施形態はこの背景に限定されない。
【００５８】
様々な実施形態では、装置５００はメモリユニット５０４を備えてよく、或いは、通信可能に結合するように配置されてよい。メモリユニット５０４は、揮発性メモリや不揮発性メモリ等の、データを記憶可能な任意の機械可読又はコンピュータ可読の媒体を用いて実施されてよい。例えば、メモリユニット５０４は、読出し専用メモリ（ROM）、ランダムアクセスメモリ（RAM）、ダイナミックRAM（DRAM）、ダブルデータレートDRAM（DDRAM）、シンクロナスDRAM（SDRAM）、スタティックRAM（SRAM）、プログラマブルROM（PROM）、消去可能プログラマブルROM（EPROM）、電気的消去可能プログラマブルROM（EEPROM）、フラッシュメモリ、強誘電性ポリマーメモリ等のポリマーメモリ、オボニックメモリ、相変化又は強誘電体メモリ、シリコン−酸化物−窒化物−酸化物−シリコン（SONOS）メモリ、磁気又は光カード、或いは、情報を記憶するのに適した任意の他のタイプの媒体を含んでよい。留意すべきこととして、メモリユニット５０４の一部又は全部は、プロセッサ回路５０２としての同じ集積回路に含まれてよく、或いは、メモリユニット５０４の一部又は全部は、プロセッサ回路５０２の集積回路の外部に存在する集積回路その他の媒体（例えばハードディスクドライブ）上に設けられてよい。メモリユニット５０４は図５の装置５００に含まれるが、一部の実施形態では、メモリユニット５０４は装置５００の外部に存在してよい。実施形態はこの背景に限定されない。
【００５９】
様々な実施形態では、装置５００は通信コンポーネント５０６を備えてよい。通信コンポーネント５０６は、１以上のリモートデバイスにメッセージを送信し、且つ／又は１以上のリモートデバイスからのメッセージを受信するように動作する論理回路、回路及び／又は命令を備えてよい。一部の実施形態では、通信コンポーネント５０６は、１以上の有線接続、１以上の無線接続又は両方の組合わせを介して、メッセージを送信及び／又は受信するように動作してよい。様々な実施形態では、通信コンポーネント５０６は、このような通信をサポートする様々な動作を実行するように動作する論理回路、回路及び／又は命令を追加的に備えてよい。このような動作の例としては、送信及び／又は受信のパラメータ及び／又はタイミングの選択、パケット及び／又はプロトコルデータユニット（PDU）構築及び／又は脱構築、符号化及び／又は復号化、誤り検出、並びに／又は誤り訂正が挙げられる。実施形態はこれらの例に限定されない。
【００６０】
一部の実施形態では、装置５００は管理コンポーネント５０８を備えてよい。
【００６１】
管理コンポーネント５０８は、装置５００の機能動作を管理する（例えば、通信コンポーネント５０６にメッセージを生成及び送信し且つ／又はメッセージを受信及び処理するように指示する）ように動作する論理回路、回路及び／又は命令を備えてよい。実施形態はこの背景に限定されない。
【００６２】
また、図５はシステム５２０のブロック図を示す。システム５２０は、装置５００の上述の要素のいずれかを備えてよい。システム５２０は更に、無線周波数（RF）送受信器５２２を備えてよい。RF送受信器５２２は、様々な適切な無線通信技術を用いて信号を送受信可能な１以上の無線機を備えてよい。そのような技術は、１以上の無線ネットワーク間の通信を含んでよい。例示的な無線ネットワークは（限定ではない）、セルラ無線アクセスネットワーク、無線ローカルエリアネットワーク（WLAN）、無線パーソナルエリアネットワーク（WPAN）、無線メトロポリタンエリアネットワーク（WMAN）及び衛星ネットワークを含む。このようなネットワークを介する通信では、RF送受信器５２２は、任意のバージョンの１以上の適用可能な規格に従って動作してよい。実施形態はこの背景に限定されない。
【００６３】
様々な実施形態では、システム５２０は１以上のRFアンテナ５２４を備えてよい。任意の特定のRFアンテナ５２４の例としては、限定ではないが、内部アンテナ、無指向性アンテナ、モノポールアンテナ、ダイポールアンテナ、エンドフェッドアンテナ、円偏波アンテナ、マイクロストリップアンテナ、ダイバーシティアンテナ、デュアルアンテナ、トライバンドアンテナ、クワッドバンドアンテナ等が挙げられる。一部の実施形態では、RF送受信器５２２は、１以上のRFアンテナ５２４を用いて、メッセージ及び／又はデータを送信及び／又は受信するように動作してよい。実施形態はこの背景に限定されない。
【００６４】
様々な実施形態では、システム５２０はディスプレイ５２６を備えてよい。ディスプレイ５２６は、プロセッサ回路５０２から受信された情報を表示可能な任意のディスプレイ装置を有してよい。ディスプレイ５２６の例としては、テレビ、モニタ、プロジェクタ、コンピュータ画面が挙げられる。一実施形態では、例えば、ディスプレイ５２６は、液晶ディスプレイ（LCD）、発光ダイオード（LED）その他の種類の適切な視覚的インタフェースによって実施されてよい。ディスプレイ５２６は、例えば、タッチセンシティブディスプレイ画面（“タッチ画面”）を有してよい。一部の実施では、ディスプレイ５２６は、埋設トランジスタを含む１以上の薄膜トランジスタ（TFT）LCDを有してよい。しかしながら、実施形態はこれらの例に限定されない。
【００６５】
様々な実施形態では、通信コンポーネント５０６は、eNB５２８とメッセージを送受信するように動作してよい。eNB５２８は、図２〜４に関連して図示及び説明されたeNB２１４を表すことができる。eNB５２８との通信は、１以上のセルラ通信プロトコルに従う無線データ通信５３０を介して実施されてよい。更に、通信コンポーネント５０６は、TWAG５３２とメッセージを送受信するように動作してよい。TWAG５３２は、図２〜４に関連して図示及び説明されたTWAG２０４を表すことができる。TWAG５３２との通信は、図２〜４に関連して図示及び説明された動作環境２００，３００，４００に関連して言及されたWLCP通信リンク５３４を用いて、実施されてよい。
【００６６】
様々な実施形態では、管理コンポーネント５０８は、IPフローポリシーモジュール５１０、非3GPP接続モジュール５１２、3GPP接続モジュール５１４、UEフロー管理モジュール５１６及びネットワークフロー管理５１８を有してよい。IPフローポリシーモジュール５１０は、装置５００に関連するIPフローを統制する任意の規則の提供を命令してよい。IPフローポリシーモジュール５１０は、通信コンポーネント５０６に、データトラフィックステアリングポリシー及び／又は補助情報をeNB５２８又はANDSF（例えばANDSF２１２）から受信するように命令してよい。IPフローポリシーモジュール５１０は、装置５００が、例えば図２〜４の動作環境２００，３００，４００に関連して図示及び説明された任意のネットワークエレメントにより、装置５００に対して提供されたルーティング規則に従って動作することを保証してよい。
【００６７】
様々な実施形態では、非3GPP接続モジュール５１２は、装置５００に関連する任意の非3GPP無線ネットワーク通信の提供を命令してよい。例えば、非3GPP接続モジュール５１２は、１以上のWi-Fi無線ネットワークとの通信を管理してよい（TWANを含む）。非3GPP接続モジュール５１２は、装置５００に、装置５００に対して既存のPDN接続を介して非3GPP無線ネットワークアクセスを追加して、マルチアクセスPDN接続を形成するために、メッセージフロー２２２の一部を実行するように命令してよい。そのようなものとして、非3GPP接続モジュール５１２は、通信コンポーネント５０６に、WLCP  PDN接続要求メッセージを生成及び送信し、且つ、WLCP  PDN接続応答メッセージを受信及び処理するように命令してよい。非3GPP接続モジュール５１２は、装置５００に、IPフローポリシーコンポーネント５１０によって提供された任意のIPフロールーティング規則に従う任意の非3GPP無線接続を介して提供される任意のIPフローを維持するように命令してよい。
【００６８】
様々な実施形態では、3GPP接続モジュール５１４は、装置５００に関連する任意の3GPP接続の提供を命令してよい。3GPP接続モジュール５１４は、通信コンポーネント５０６に、eNB５２８との任意の通信メッセージを生成及び送信し、且つ／又は受信及び処理するように命令してよい。3GPP接続モジュール５１４は、装置５００に、IPフローポリシーコンポーネント５１０によって提供された任意のIPフロールーティング規則に従う任意の3GPP無線接続を介して提供された任意のIPフローを維持するように命令してよい。3GPP接続モジュール５１４は、全ての装置に関連するIPフロー５００が非3GPPネットワークアクセスに移行し、結果として3GPPネットワーク接続上にIPフローが存在しないとき3GPPネットワークアクセスを維持してもよい。一例として、3GPP接続モジュール５１４は、装置にRAU及び／又はTAU動作を実行する（例えば、周期的又は時折）ように命令することにより、3GPPネットワーク接続を維持してよい。
【００６９】
様々な実施形態では、UEフロー管理モジュール５１６は、任意のUE開始のIPフローモビリティプロシージャを実施してよい。UEフロー管理モジュール５１６は、装置５００に、フローモビリティプロシージャを開始するように命令してよい。UE開始のフローモビリティプロシージャは、１以上のフローを第１の無線ネットワークアクセスから第２の無線ネットワークアクセスに移行することを含んでよい。開始されたフローモビリティプロシージャは、１以上のIPフローについてルーティング規則を更新することを含んでもよい。UEフロー管理モジュール５１６は、装置５００に、図３に関連して図示及び説明されたように、UE開始のメッセージフロー３０４の、非3GPP無線通信ネットワークと3GPP無線通信ネットワークとの間でIPフローを移行する部分を実施するように命令してよい。そのようなものとして、UEフロー管理モジュール５１６は、通信コンポーネント５０６に、WLCPフローモビリティ要求メッセージを生成及び送信し、又はWLCP  PDNフローモビリティ応答メッセージを受信及び処理するように命令してよい。UEフロー管理モジュール５１６は、装置５００に、IPフローポリシーモジュール５１０によって管理される任意のIPフローポリシーに従ってUE開始のモビリティプロシージャを管理するように命令してよい。
【００７０】
様々な実施形態では、ネットワークフロー管理モジュール５１８は、任意のネットワーク開始のIPフローモビリティプロシージャに応答して動作してよい。ネットワークフロー管理モジュール５１８は、装置５００に、ネットワーク開始のフローモビリティプロシージャに応じて予測されるプロシージャを実施するように命令してよい。ネットワーク開始のフローモビリティプロシージャは、１以上のフローを第１の無線ネットワークアクセスから第２の無線ネットワークアクセスに移行することを含んでよい。ネットワーク開始のフローモビリティプロシージャは、１以上のIPフローについてルーティング規則を更新することを含んでもよい。ネットワークフロー管理モジュール５１８は、装置５００に、図４に関連して図示及び説明されたように、ネットワーク開始のメッセージフロー４０８の、非3GPP無線通信ネットワークと3GPP無線通信ネットワークとの間でIPフローを移行する部分を実施するように命令してよい。そのようなものとして、ネットワークフロー管理モジュール５１８は、通信コンポーネント５０６に、WLCPフローモビリティ指示メッセージを受信及び処理し、WLCPフローモビリティ受入れメッセージを生成及び送信するように命令してよい。ネットワークフロー管理モジュール５１８は、装置５００に、IPフローポリシーモジュール５１０によって管理される任意のIPフローポリシーに従う任意のネットワーク開始のモビリティプロシージャに応答して動作するように命令してよい。
【００７１】
図６は装置６００のブロック図を示す。装置６００は、UE開始のIPフローモビリティプロシージャに応答する技術と、ネットワークベースのIPフローモビリティプロシージャに応答する技術とを実施するTWAGを表すことができる。そのようなものとして、装置６００は、図２〜４に関連して説明された、本明細書に記載のTWAG２０４を含むメッセージフローの一部（TWAG２０２が関与するメッセージの生成、送信、受信及び処理等）を実施してよい。図６に示されるように、装置６００は、プロセッサ回路６０２、記憶部６０４、通信コンポーネント６０６及びディスカバリ管理コンポーネント６０８等の複数の要素を備えることができる。しかしながら実施形態は、この図に示される要素の種類、数又は配置に限定されない。
【００７２】
一部の実施形態では、装置６００はプロセッサ回路６０２を備えてよい。
【００７３】
プロセッサ回路６０２は、任意のプロセッサ又は論理デバイスを用いて実施されてよく、例えば、複合命令セットコンピュータ（CISC）マイクロプロセッサ、縮小命令セットコンピューティング（RISC）マイクロプロセッサ、超長命令語（VLIW）マイクロプロセッサ、ｘ８６命令セット対応プロセッサ、命令セットの組合わせを実施するプロセッサ、マルチコアプロセッサ（デュアルコアプロセッサやデュアルコアモバイルプロセッサ等）その他のマイクロプロセッサ又は中央処理装置（CPU）を用いて実施されてよい。プロセッサ回路６０２は、コントローラ、マイクロコントローラ、組込みプロセッサ、チップマルチプロセッサ（CMP）、コプロセッサ、デジタルシグナルプロセッサ（DSP）、ネットワークプロセッサ、メディアプロセッサ、入出力（I／O）プロセッサ、媒体アクセス制御（MAC）プロセッサ、無線ベースバンドプロセッサ、特定用途向け集積回路（ASIC）、フィールド・プログラマブル・ゲート・アレイ（FPGA）、プログラマブル論理回路（PLD）等の、専用プロセッサとして実現されてもよい。一実施形態では、例えば、プロセッサ回路６０２は、インテル社（カリフォルニア州サンタクララ）製のプロセッサ等の汎用プロセッサとして実現されてよい。実施形態はこの背景に限定されない。
【００７４】
様々な実施形態では、装置６００はメモリユニット６０４を備えてよく、或いは、通信可能に結合するように配置されてよい。メモリユニット６０４は、揮発性メモリや不揮発性メモリ等の、データを記憶可能な任意の機械可読又はコンピュータ可読の媒体を用いて実施されてよい。例えば、メモリユニット６０４は、読出し専用メモリ（ROM）、ランダムアクセスメモリ（RAM）、ダイナミックRAM（DRAM）、ダブルデータレートDRAM（DDRAM）、シンクロナスDRAM（SDRAM）、スタティックRAM（SRAM）、プログラマブルROM（PROM）、消去可能プログラマブルROM（EPROM）、電気的消去可能プログラマブルROM（EEPROM）、フラッシュメモリ、強誘電性ポリマーメモリ等のポリマーメモリ、オボニックメモリ、相変化又は強誘電体メモリ、シリコン−酸化物−窒化物−酸化物−シリコン（SONOS）メモリ、磁気又は光カード、或いは、情報を記憶するのに適した任意の他のタイプの媒体を含んでよい。留意すべきこととして、メモリユニット６０４の一部又は全部は、プロセッサ回路６０２としての同じ集積回路に含まれてよく、或いは、メモリユニット６０４の一部又は全部は、プロセッサ回路６０２の集積回路の外部に存在する集積回路その他の媒体（例えばハードディスクドライブ）上に設けられてよい。メモリユニット６０４は図６の装置６００に含まれるが、一部の実施形態では、メモリユニット６０４は装置６００の外部に存在してよい。実施形態はこの背景に限定されない。
【００７５】
様々な実施形態では、装置６００は通信コンポーネント６０６を備えてよい。通信コンポーネント６０６は、１以上のリモートデバイスにメッセージを送信し、且つ／又は１以上のリモートデバイスからのメッセージを受信するように動作する論理回路、回路及び／又は命令を備えてよい。一部の実施形態では、通信コンポーネント６０６は、１以上の有線接続、１以上の無線接続又は両方の組合わせを介して、メッセージを送信及び／又は受信するように動作してよい。様々な実施形態では、通信コンポーネント６０６は、このような通信をサポートする様々な動作を実行するように動作する論理回路、回路及び／又は命令を追加的に備えてよい。このような動作の例としては、送信及び／又は受信のパラメータ及び／又はタイミングの選択、パケット及び／又はプロトコルデータユニット（PDU）構築及び／又は脱構築、符号化及び／又は復号化、誤り検出、並びに／又は誤り訂正が挙げられる。実施形態はこれらの例に限定されない。
【００７６】
一部の実施形態では、装置６００は管理コンポーネント６０８を備えてよい。管理コンポーネント６０８は、装置６００の機能動作を管理する（例えば、通信コンポーネント６０６にメッセージを生成及び送信し且つ／又はメッセージを受信及び処理するように指示する）ように動作する論理回路、回路及び／又は命令を備えてよい。実施形態はこの背景に限定されない。
【００７７】
また、図６はシステム６１６のブロック図を示す。システム６１６は、装置６００の上述の要素のいずれかを備えてよい。システム６１６は更に送受信器６１８を備えてよい。送受信器は、様々な適切な無線通信技術を用いて信号を送受信可能であってよい。そのような技術は、１以上の有線ネットワーク間の通信を含んでよい。このようなネットワークを介する通信では、送受信器６１８は、任意のバージョンの１以上の適用可能な規格に従って動作してよい。実施形態はこの背景に限定されない。
【００７８】
様々な実施形態では、通信コンポーネント６０６は、PDN-GW６２０とメッセージを送受信するように動作してよい。PDN-GW６２０は、図２〜４に関連して図示及び説明されたPDN-GW２０６を表すことができる。PDN-GW６２０の通信は、図２〜４に関連して図示及び説明された動作環境２００，３００，４００に関連して言及されたように、GTP通信リンク６２２を介して実施されてよい。更に、通信コンポーネント５０６は、UE６２４とメッセージを送受信するように動作してよい。UE６２４は、図２〜４に関連して図示及び説明されたUE２０２と、図５に関連して図示及び説明されたUE５００とを表すことができる。UE６２４との通信は、図２〜４に関連して図示及び説明された動作環境２００，３００，４００に関連して言及されたWLCP通信リンク６２６を介して実施されてよい。
【００７９】
様々な実施形態では、管理コンポーネント６０８は、非3GPP接続モジュール６１０、UEフロー管理モジュール６１２及びネットワークフロー管理モジュール６１４を有してよい。
【００８０】
様々な実施形態では、非3GPP接続モジュール６１０は、UE６２４に関連する任意の非3GPP接続の提供をサポートしてよい。非3GPP接続モジュール６１０は、装置６００に、UE６２４に対して既存のPDN接続を介して非3GPP無線ネットワークアクセスを追加するために、メッセージフロー２２２の一部を実施するように命令してよい。そのようなものとして、非3GPP接続モジュール６１０は、通信コンポーネント６０６に、セッション作成要求メッセージ、PDN接続受入れメッセージ又はWLCP  PDN接続応答メッセージを生成及び送信するように命令してよい。非3GPP接続モジュール６１０は、通信コンポーネント６０６に、WLCP  PDN接続要求メッセージ、セッション作成応答メッセージ及びPDN接続完了メッセージを受信及び処理するように命令してもよい。
【００８１】
様々な実施形態では、UEフロー管理モジュール６１２は、任意のUE開始のIPフローモビリティプロシージャの実施をサポートしてよい。UEフロー管理モジュール６１２は、装置６００に、UE６２４によって開始されたフローモビリティプロシージャに応答するように命令してよい。UEフロー管理モジュール６１２は、装置６００に、図３に関連して図示及び説明されたようにUE開始のメッセージフロー３０４の、非3GPP無線通信ネットワークと3GPP無線通信ネットワークとの間でIPフローを移行する部分を実施するように命令してよい。そのようなものとして、UEフロー管理モジュール６１２は、通信コンポーネント６０６に、ベアラリソースコマンド又はベアラ修正要求メッセージ又はWLCPフローモビリティ応答メッセージを生成及び送信するように命令してよい。UEフロー管理モジュール６１２は、通信コンポーネント６０６に、ベアラリソースコマンド又はベアラ変更応答メッセージ又はWLCPフローモビリティ要求メッセージを受信及び処理するように命令してもよい。
【００８２】
様々な実施形態では、ネットワークフロー管理モジュール６１４は、任意のネットワーク開始のIPフローモビリティプロシージャの実施をサポートしてよい。ネットワークフロー管理モジュール６４２は、装置６００に、PDN-GW６２０によって命令されたようにフローモビリティプロシージャに応答するように命令してよい。ネットワークフロー管理モジュール６１４は、装置６００に、図４に関連して図示及び説明されたように、ネットワーク開始のメッセージフロー４０８の、非3GPP無線通信ネットワークと3GPP無線通信ネットワークとの間でIPフローを移行する部分を実施するように命令してよい。そのようなものとして、ネットワークフロー管理モジュール６１４は、通信コンポーネント６０６に、WLCPフローモビリティ指示メッセージ及びベアラ更新応答メッセージを生成及び送信するように命令してよい。ネットワークフロー管理モジュール６１４は、通信コンポーネント６０６に、ベアラ更新要求メッセージ又はWLCPフローモビリティ受入れメッセージを受信及び処理するように命令してもよい。
【００８３】
図７は装置７００のブロック図を示す。装置７００は、UE開始のIPフローモビリティに応答し、ネットワーク開始のIPフローモビリティに応答することを含むIPフローモビリティを提供する技術を実施するPDN-GWを表すことができる。そのようなものとして、装置７００は、図２〜４に関連して説明された、本明細書に記載のPDN-GW２０６を含むメッセージフローの一部（PDN-GW２０６が関与するメッセージの生成、送信、受信及び処理等）を実施してよい。図７に示されるように、装置７００は、プロセッサ回路７０２、記憶部７０４、通信コンポーネント７０６及びディスカバリ管理コンポーネント７０８等の複数の要素を備えることができる。しかしながら実施形態は、この図に示される要素の種類、数又は配置に限定されない。
【００８４】
一部の実施形態では、装置７００はプロセッサ回路７０２を備えてよい。プロセッサ回路７０２は、任意のプロセッサ又は論理デバイスを用いて実施されてよく、例えば、複合命令セットコンピュータ（CISC）マイクロプロセッサ、縮小命令セットコンピューティング（RISC）マイクロプロセッサ、超長命令語（VLIW）マイクロプロセッサ、ｘ８６命令セット対応プロセッサ、命令セットの組合わせを実施するプロセッサ、マルチコアプロセッサ（デュアルコアプロセッサやデュアルコアモバイルプロセッサ等）その他のマイクロプロセッサ又は中央処理装置（CPU）を用いて実施されてよい。プロセッサ回路７０２は、コントローラ、マイクロコントローラ、組込みプロセッサ、チップマルチプロセッサ（CMP）、コプロセッサ、デジタルシグナルプロセッサ（DSP）、ネットワークプロセッサ、メディアプロセッサ、入出力（I／O）プロセッサ、媒体アクセス制御（MAC）プロセッサ、無線ベースバンドプロセッサ、特定用途向け集積回路（ASIC）、フィールド・プログラマブル・ゲート・アレイ（FPGA）、プログラマブル論理回路（PLD）等の、専用プロセッサとして実現されてもよい。一実施形態では、例えば、プロセッサ回路７０２は、インテル社（カリフォルニア州サンタクララ）製のプロセッサ等の汎用プロセッサとして実現されてよい。実施形態はこの背景に限定されない。
【００８５】
様々な実施形態では、装置７００はメモリユニット７０４を備えてよく、或いは、通信可能に結合するように配置されてよい。メモリユニット７０４は、揮発性メモリや不揮発性メモリ等の、データを記憶可能な任意の機械可読又はコンピュータ可読の媒体を用いて実施されてよい。例えば、メモリユニット７０４は、読出し専用メモリ（ROM）、ランダムアクセスメモリ（RAM）、ダイナミックRAM（DRAM）、ダブルデータレートDRAM（DDRAM）、シンクロナスDRAM（SDRAM）、スタティックRAM（SRAM）、プログラマブルROM（PROM）、消去可能プログラマブルROM（EPROM）、電気的消去可能プログラマブルROM（EEPROM）、フラッシュメモリ、強誘電性ポリマーメモリ等のポリマーメモリ、オボニックメモリ、相変化又は強誘電体メモリ、シリコン−酸化物−窒化物−酸化物−シリコン（SONOS）メモリ、磁気又は光カード、或いは、情報を記憶するのに適した任意の他のタイプの媒体を含んでよい。留意すべきこととして、メモリユニット７０４の一部又は全部は、プロセッサ回路７０２としての同じ集積回路に含まれてよく、或いは、メモリユニット７０４の一部又は全部は、プロセッサ回路７０２の集積回路の外部に存在する集積回路その他の媒体（例えばハードディスクドライブ）上に設けられてよい。メモリユニット７０４は図７の装置７００に含まれるが、一部の実施形態では、メモリユニット７０４は装置７００の外部に存在してよい。実施形態はこの背景に限定されない。
【００８６】
様々な実施形態では、装置７００は通信コンポーネント７０６を備えてよい。通信コンポーネント７０６は、１以上のリモートデバイスにメッセージを送信し、且つ／又は１以上のリモートデバイスからのメッセージを受信するように動作する論理回路、回路及び／又は命令を備えてよい。一部の実施形態では、通信コンポーネント７０６は、１以上の有線接続、１以上の無線接続又は両方の組合わせを介して、メッセージを送信及び／又は受信するように動作してよい。様々な実施形態では、通信コンポーネント７０６は、このような通信をサポートする様々な動作を実行するように動作する論理回路、回路及び／又は命令を追加的に備えてよい。このような動作の例としては、送信及び／又は受信のパラメータ及び／又はタイミングの選択、パケット及び／又はプロトコルデータユニット（PDU）構築及び／又は脱構築、符号化及び／又は復号化、誤り検出、並びに／又は誤り訂正が挙げられる。実施形態はこれらの例に限定されない。
【００８７】
一部の実施形態では、装置７００は管理コンポーネント７０８を備えてよい。管理コンポーネント７０８は、装置７００の機能動作を管理する（例えば、通信コンポーネント７０６にメッセージを生成及び送信し且つ／又はメッセージを受信及び処理するように指示する）ように動作する論理回路、回路及び／又は命令を備えてよい。実施形態はこの背景に限定されない。
【００８８】
また、図７はシステム７２０のブロック図を示す。システム７２０は、装置７００の上述の要素のいずれかを備えてよい。システム７２０は更に送受信器７２２を備えてよい。送受信器は、様々な適切な無線通信技術を用いて信号を送受信可能であってよい。そのような技術は、１以上の有線ネットワーク間の通信を含んでよい。このようなネットワークを介する通信では、送受信器７２２は、任意のバージョンの１以上の適用可能な規格に従って動作してよい。実施形態はこの背景に限定されない。
【００８９】
様々な実施形態では、通信コンポーネント７０６は、eNB７２４とメッセージを送受信するように動作してよい。eNB７２４は、図２〜４に関連して図示及び説明されたeNB２１４を表すことができる。eNB７２４との通信は、１以上のセルラ通信プロトコルに従う無線データ通信７２６を介して実施されてよい。更に、通信コンポーネント７０６は、TWAG７３２とメッセージを送受信するように動作してよい。TWAG７３２は、図２〜４に関連して図示及び説明されたTWAG２０４を表すことができる。TWAG７３２との通信は、図２〜４に関連して図示及び説明された動作環境２００，３００，４００に関連して言及されたように、WLCP通信リンク７３４を用いて実施されてよい。通信コンポーネント７０６は、ANDSF７２８とメッセージを送受信するように動作してよい。ANDSF７２８は、図２〜４に関連して図示及び説明されたANDSF２１２を表すことができる。ANDSF２１２との通信は、１以上の通信プロトコルに従う通信リンク７３０を介して実施されてよい。
【００９０】
様々な実施形態では、管理コンポーネント７０８は、IPフローポリシーモジュール７１０、非3GPP接続モジュール７１２、3GPP接続モジュール７１４、UEフロー管理モジュール７１６及びネットワークフロー管理モジュール７１８を有してよい。IPフローポリシーモジュール７１０は、装置７００に関連するIPフローを統制する任意の規則の提供を命令してよい。IPフローポリシーモジュール７１０は、通信コンポーネント７０６に、データトラフィックステアリングポリシー及び／又は補助情報をeNB７２４又はANDSF７２８から受信するように命令してよい。IPフローポリシーモジュール７１０は、装置７００が、例えば、図２〜４の動作環境２００，３００，４００に関連して図示及び説明された任意のネットワークエレメントにより、装置７００に対して提供されたルーティング規則に従って動作することを保証してよい。様々な実施形態では、非3GPP接続モジュール７１２は、装置７００に関連する任意の非3GPP無線ネットワーク通信の提供を命令してよい。例えば、非3GPP接続モジュール７１２は、装置７００を介してルーティングされた任意の非3GPP無線通信を管理してよい。非3GPP接続モジュール７１２は、装置７００に、リモートUEに対して既存のPDN接続を介して非3GPP無線ネットワークアクセスを追加する（例えば、それによりマルチアクセスPDN接続を作成する）ために、メッセージフロー２２２の一部を実施するように命令してよい。非3GPP接続モジュール７１２は、装置７００に、装置７００を介してルーティングされ且つIPフローポリシーコンポーネント７１０によって提供された任意のIPフロールーティング規則に従う任意の非3GPP無線接続を介して提供された任意のIPフローを維持するように命令してよい。
【００９１】
様々な実施形態では、3GPP接続モジュール７１４は、装置７００に関連する任意の3GPP接続の提供を命令してよい。例えば、3GPP接続モジュール７１４は、装置７００を介してルーティングされた任意の3GPP無線通信を管理してよい。3GPP接続モジュール７１４は、装置７００に、装置７００を介してルーティングされ且つIPフローポリシーコンポーネント７１０によって提供された任意のIPフロールーティング規則に従う任意の3GPP無線接続を介して提供された任意のIPフローを維持するように命令してよい。3GPP接続モジュール７１４は、リモートUEに関連する全てのIPフローが非3GPPネットワークアクセスに移行し、結果として3GPPネットワーク接続上にIPフローが存在しないとき、リモートUEへの3GPPネットワークアクセスを維持してもよい。一部の実施形態では、3GPP接続モジュール７１４は、UEがオフになるまで、或いはリモートに関連する全てのPDN接続が停止されるまで、リモートUEとの3GPP接続を維持してよい。一部の実施形態では、3GPP接続モジュール７１４は、オペレータによるネットワークの構成、装置７００（例えばオペレータによる）のローカル構成、ネットワーク負荷、及び／又は依然としてリモートUEと非3GPPネットワーク接続を介して関連するIPフローのタイプに基づいて、リモートUEとの3GPP接続を停止してよい。一部の実施形態では、3GPP接続モジュール７１４は、全てのIPフローが非3GPPネットワーク接続上にあると決定された実質的な時間に開始するタイマーを開始してよい。タイマー満了後、3GPP接続モジュール７１４は、リモートUEのデタッチ及び／又は維持された3GPPネットワークアクセスの停止を開始してよい。
【００９２】
一例として、3GPP接続モジュール５１４は、装置にRAU及び／又はTAU動作を実行する（例えば、周期的又は時折）ように命令することにより、3GPPネットワーク接続を維持してよい。様々な実施形態では、UEフロー管理モジュール７１６は、任意のUE開始のIPフローモビリティプロシージャをサポートしてよい。UEフロー管理モジュール７１６は、装置７００に、リモートUEによって開始されたフローモビリティプロシージャに応答するように命令してよい。UE開始のフローモビリティプロシージャは、１以上のフローを第１の無線ネットワークアクセスから第２の無線ネットワークアクセスに移行することを含んでよい。開始されたフローモビリティプロシージャは、１以上のIPフローについてルーティング規則を更新することを含んでもよい。UEフロー管理モジュール７１６は、装置７００に、図３に関連して図示及び説明されたように、非3GPP無線通信ネットワークと3GPP無線通信ネットワークとの間でIPフローを移行するために、UE開始のメッセージフロー３０４の部分を実施するように命令してよい。そのようなものとして、UEフロー管理モジュール７１６は、通信コンポーネント７０６に、ベアラリソースコマンド又はベアラ修正要求メッセージを生成及び送信するように命令してよい。UEフロー管理モジュール７１６は、通信コンポーネント７０６に、ベアラリソースコマンド又はベアラ修正要求メッセージを受信及び処理するように命令してもよい。UEフロー管理モジュール７１６は、装置７００に、IPフローポリシーモジュール７１０によって管理される任意のIPフローポリシーに従ってUE開始のモビリティプロシージャを管理するように命令してよい。
【００９３】
様々な実施形態では、ネットワークフロー管理モジュール７１８は、任意のネットワーク開始のIPフローモビリティプロシージャに応答して動作してよい。ネットワークフロー管理モジュール７１８は、装置７００に、ネットワーク開始のフローモビリティプロシージャに応じて予測されるプロシージャを実施するように命令してよい。ネットワーク開始のフローモビリティプロシージャは、１以上のフローを第１の無線ネットワークアクセスから第２の無線ネットワークアクセスに移行することを含んでよい。ネットワーク開始のフローモビリティプロシージャは、１以上のIPフローについてルーティング規則を更新することを含んでもよい。ネットワークフロー管理モジュール７１８は、装置７００に、図４に関連して図示及び説明されたように、ネットワーク開始のメッセージフロー４０８の、非3GPP無線通信ネットワークと3GPP無線通信ネットワークとの間でIPフローを移行する部分を実施するように命令してよい。そのようなものとして、ネットワークフロー管理モジュール７１８は、通信コンポーネント７０６に、ベアラ更新応答メッセージを受信及び処理し、ベアラ更新応答メッセージを生成及び送信するように命令してよい。ネットワークフロー管理モジュール７１８は、装置７００に、IPフローポリシーモジュール７１０によって管理される任意のIPフローポリシーに従う任意のネットワーク開始のモビリティプロシージャに応答して動作するように命令してよい。
【００９４】
図８は、様々な実施形態を表すことができる、WLCPフローモビリティ要求メッセージ８００のフォーマットを示す。WLCPフローモビリティ要求メッセージ８００は、図３（例えばステップ３０６）のメッセージフロー３０４（例えばステップ３０６）に関連して図示及び説明されたような、UE開始のフローモビリティプロシージャの一部としてUEによりTWAGに送信されるメッセージのフォーマットを表すことができる。
【００９５】
図８に示されるように、WLCPフローモビリティ要求メッセージ８００のフォーマットは、情報要素識別子（IEI）フィールド８０２、情報要素フィールド８０４、タイプ又は参照フィールド８０６、プレゼンスフィールド８０８、フォーマットフィールド８１０及び長さフィールド８１２によって記述されてよい。IEフィールド８０４は、生成又は構築されたメッセージを成す個々の情報要素を、メッセージ内での出現順序でリストすることができる。IEIフィールド８０２は、特定の情報要素に先行する任意の識別子をリストすることができる。図８に示されるように、IEI値は、メッセージに含まれるPCO情報要素に先行することができる。タイプ又は参照フィールド８０６は、情報要素フィールド８０４にリストされた情報要素に関する記述を提供することができる。プレゼンスフィールド８０８は、特定の情報要素が必須である（例えば“M”で表される）か選択的（例えば“O”で表される）かを特定することができる。フォーマットフィールド８１０は、情報要素フィールド８０４にリストされた対応する情報要素を符号化するフォーマットを特定することができる。長さフィールド８１２は、情報要素フィールド８０４にリストされる情報要素の長さ（例えばビットやオクテットの数）を特定することができる。実施形態はこれらの例に限定されない。
【００９６】
図９は、様々な実施形態を表すことができる、WLCPフローモビリティ応答メッセージ９００のフォーマットを示す。WLCPフローモビリティ応答メッセージ９００は、図３のメッセージフロー３０４（例えばステップ３１４）に関連して図示及び説明されたような、UE開始のフローモビリティプロシージャの一部としてTWAGによりUEに送信されるメッセージのフォーマットを表すことができる。
【００９７】
図９に示されるように、WLCPフローモビリティ応答メッセージ９００のフォーマットは、IEIフィールド９０２、情報要素フィールド９０４、タイプ又は参照フィールド９０６、プレゼンスフィールド９０８、フォーマットフィールド９１０及び長さフィールド９１２によって記述されてよい。IEフィールド９０４は、生成又は構築されたメッセージを成す個々の情報要素を、メッセージ内での出現順序でリストすることができる。IEIフィールド９０２は、特定の情報要素に先行する任意の識別子をリストすることができる。図９に示されるように、IEI値は、メッセージに含まれるPCO情報要素に先行することができる。タイプ又は参照フィールド９０６は、情報要素フィールド９０４にリストされた情報要素に関する記述を提供することができる。プレゼンスフィールド９０８は、特定の情報要素が必須である（例えば“M”で表される）か選択的（例えば“O”で表される）かを特定することができる。フォーマットフィールド９１０は、情報要素フィールド９０４にリストされた対応する情報要素を符号化するフォーマットを特定することができる。長さフィールド９１２は、情報要素フィールド９０４にリストされる情報要素の長さ（例えばビットやオクテットの数）を特定することができる。実施形態はこれらの例に限定されない。
【００９８】
図１０は、様々な実施形態を表すことができる、WLCPフローモビリティ指示メッセージ１０００のフォーマットを示す。WLCPフローモビリティ指示メッセージ１０００は、図３のメッセージフロー４０８（例えばステップ４１４）に関連して図示及び説明されたような、ネットワーク開始のフローモビリティプロシージャの一部としてTWAGによりUEに送信されるメッセージのフォーマットを表すことができる。
【００９９】
図１０に示されるように、WLCPフローモビリティ指示メッセージ１０００のフォーマットは、IEIフィールド１００２、情報要素フィールド１００４、タイプ又は参照フィールド１００６、プレゼンスフィールド１００８、フォーマットフィールド１０１０及び長さフィールド１０１２によって記述されてよい。IEフィールド１００４は、生成又は構築されたメッセージを成す個々の情報要素を、メッセージ内での出現順序でリストすることができる。IEIフィールド１００２は、特定の情報要素に先行する任意の識別子をリストすることができる。図１０に示されるように、IEI値は、メッセージに含まれるPCO情報要素に先行することができる。タイプ又は参照フィールド１００６は、情報要素フィールド１００４にリストされた情報要素に関する記述を提供することができる。プレゼンスフィールド１００８は、特定の情報要素が必須である（例えば“M”で表される）か選択的（例えば“O”で表される）かを特定することができる。フォーマットフィールド１０１０は、情報要素フィールド１００４にリストされた対応する情報要素を符号化するフォーマットを特定することができる。長さフィールド１０１２は、情報要素フィールド１００４にリストされる情報要素の長さ（例えばビットやオクテットの数）を特定することができる。実施形態はこれらの例に限定されない。
【０１００】
図１１は、様々な実施形態を表すことができる、WLCPフローモビリティ受入れメッセージ１１００のフォーマットを示す。WLCPフローモビリティ受入れメッセージ１１００は、図３のメッセージフロー４０８（例えばステップ４１６）に関連して図示及び説明されたような、ネットワーク開始のフローモビリティプロシージャの一部としてTWAGによりUEに送信されるメッセージのフォーマットを表すことができる。
【０１０１】
図１１に示されるように、WLCPフローモビリティ受入れメッセージ１１００のフォーマットは、IEIフィールド１１０２、情報要素フィールド１１０４、タイプ又は参照フィールド１１０６、プレゼンスフィールド１１０８、フォーマットフィールド１１１０及び長さフィールド１１１２によって記述されてよい。IEフィールド１１０４は、生成又は構築されたメッセージを成す個々の情報要素を、メッセージ内での出現順序でリストすることができる。IEIフィールド１１０２は、特定の情報要素に先行する任意の識別子をリストすることができる。図１１に示されるように、IEI値は、メッセージに含まれるPCO情報要素に先行することができる。タイプ又は参照フィールド１１０６は、情報要素フィールド１１０４にリストされた情報要素ｌに関する記述を提供することができる。プレゼンスフィールド１１０８は、特定の情報要素が必須である（例えば“M”で表される）か選択的（例えば“O”で表される）かを特定することができる。フォーマットフィールド１１１０は、情報要素フィールド１１０４にリストされた対応する情報要素を符号化するフォーマットを特定することができる。長さフィールド１１１２は、情報要素フィールド１１０４にリストされる情報要素の長さ（例えばビットやオクテットの数）を特定することができる。実施形態はこれらの例に限定されない。
【０１０２】
図１２は、図５の装置５００及び／又はシステム５２０と、図６の装置６００及び／又はシステム６１６と、図７の装置７００及び／又はシステム７２０とのうち１以上を実施することができ、且つ／又は、図２〜４に関連して説明されたメッセージフロー動作環境２００，３００，４００に示されたメッセージフローの一部を実施することができる、通信機器１２００の実施形態を示す。
【０１０３】
図１２に示されるように、通信機器１２００は記憶媒体１２２４を備えてよい。記憶媒体１２２４は、任意の非一時的コンピュータ可読記憶媒体又は機械可読記憶媒体（例えば光、磁気または半導体の記憶媒体）を有してよい。様々な実施形態では、記憶媒体１２２４は製品を有してよい。一部の実施形態では、記憶媒体１２２４は、コンピュータ実行可能命令（例えば、図５の装置５００及び／又はシステム５２０と、図６の装置６００及び／又はシステム６１６と、図７の装置７００及び／又はシステム７２０とのうち１以上に関連して説明された工程のうち１以上を実施し、且つ／又は、図２〜４に関連して説明されたメッセージフロー動作環境２００，３００，４００に示されたメッセージフローのうち１以上に関して説明された工程のうち１以上を実施するためのコンピュータ実行可能命令）を記憶してよい。コンピュータ可読記憶媒体又は機械可読記憶媒体の例としては、揮発性メモリ又は不揮発性メモリ、リムーバブル又は非リムーバブルメモリ、消去可能又は消去不能メモリ、書込み可能又は再書込み可能なメモリ等、電子データを記憶可能な任意の有形媒体が挙げられる。コンピュータ実行可能命令の例としては、ソースコード、コンパイルコード、解釈コード、実行可能コード、静的コード、動的コード、オブジェクト指向コード、視覚コード等、任意の適切なタイプのコードが挙げられる。実施形態はこの背景に限定されません。
【０１０４】
様々な実施形態では、デバイス１２００は論理回路１２２６を備えてよい。論理回路１２２６は、図５の装置５００及び／又はシステム５２０と、図６の装置６００及び／又はシステム６１６と、図７の装置７００及び／又はシステム７２０と、記憶媒体１２２４とのうち１以上について説明された工程を実行し、且つ／又は、図２〜４に関連して説明されたメッセージフロー動作環境２００，３００，４００に示されたメッセージフローのうち１以上について説明された工程を実行する物理的回路を含んでよい。図１２に示されるように、デバイス１２００は、通信インタフェース１２０２、回路１２０４及びコンピューティングプラットフォーム１２２８を備えてよいが、実施形態はこの構成に限定されない。
【０１０５】
デバイス１２００は、上述の構造及び／又は工程の一部又は全部を、単一のコンピューティングエンティティで、例えば完全に単一のデバイスで、実施してよい。或いは、デバイス１２００は、クライアントサーバアーキテクチャ、３層アーキテクチャ、N層アーキテクチャ、密結合又はクラスタ化アーキテクチャ、ピアツーピアアーキテクチャ、マスタスレーブアーキテクチャ、共有データベースアーキテクチャその他のタイプの分散システム等の、分散システムアーキテクチャを用いて、複数のコンピューティングエンティティに上述の構造及び／又は工程の一部を分散してよい。実施形態はこの背景に限定されない。
【０１０６】
一実施形態では、通信インタフェース１２０２は、１以上の通信規格プロトコルに従う１以上の有線又は無線のインタフェースを介して通信メッセージを送受信するように適合されたコンポーネント又はコンポーネントの組合わせを含んでよい。一例として、通信インタフェース１２０２は無線インタフェースであってよく、シングルキャリア又はマルチキャリア変調信号（例えば、相補符号キーイング（CCK）、直交周波数分割多重（OFDM）及び／又はシングルキャリア周波数分割多重アクセス（SC-FDMA）のシンボルを含む）を送信及び／又は受信するように適合されたコンポーネント又はコンポーネントの組合わせを含んでよいが、実施形態は、特定の無線インタフェース又は変調方式に限定されるものではない。通信インタフェース１２０２は、例えば、受信器１２０６及び送信器１２０８を含んでよい。無線インタフェースとして、通信インタフェース１２０２は周波数合成器１２１０を含んでもよい。無線インタフェースとして、通信インタフェース１２０２は、バイアス制御部、水晶発振器及び／又は１以上のアンテナ１２１１−ｆ（破線で示す）を含んでもよい。別の実施形態では、無線インタフェースとして、通信インタフェース１２０２は、外部電圧制御発振器（VCO）、表面弾性波フィルタ、中間周波数（IF）フィルタ及び／又はRFフィルタを適宜採用してよい。潜在的なRFインタフェースの設計は多岐にわたるので、その説明は広大な説明は省略する。
【０１０７】
回路１２０４は、通信インタフェース１２０２と通信して、信号を処理、受信及び／又は送信してよい。回路１２０４は、アナログデジタル変換器（ADC）１２１２及びデジタルアナログ変換器（DAC）１２１４を含んでよい。一部の実施形態では、無線インタフェースとして実装される通信インタフェース１２０２について、ADC１２１２は受信信号をダウンコンバートするために用いられてよく、DAC１２１４は、送信のために信号をアップコンバートするために用いられてよい。回路１２０４は、ベースバンド又は物理層（PHY）処理回路１２１６をそれぞれの受信／送信信号のPHYリンク層処理のために含んでよい。回路１２０４は、例えば、媒体アクセス制御（MAC）／データリンク層処理のためのMAC処理回路１２１８を含んでよい。回路１２０４は、例えば１以上のインタフェース１２２２を介してMAC処理回路１２１８及び／又はコンピューティングプラットフォーム１２２８と通信するメモリコントローラ１２２０を含んでよい。
【０１０８】
一部の実施形態では、PHY処理回路１２１６は、バッファメモリ等の付加的な回路との組合せにおいて、通信フレームを構築及び／又は解体するフレーム構築及び／又は検出モジュールを含んでよい。代替又は追加として、MAC処理回路１２１８は、これらの機能の特定の処理を共有してよく、或いは、PHY処理回路１２１６から独立してこれらのプロセスを実行してよい。一部の実施形態では、MACとPHY処理は、単一の回路に統合されてよい。
【０１０９】
コンピューティングプラットフォーム１２２８は、デバイス１２００にコンピューティング機能を提供してよい。示されるように、コンピューティングプラットフォーム１２２８は処理コンポーネント１２３０を含んでよい。回路１２０４に加えて、或いは回路１２０４の代わりに、デバイス１２００は、図５の装置５００及び／又はシステム５２０と、図６の装置６００及び／又はシステム６１６と、図７の装置７００及び／又はシステム７２０とのうち１以上に関する処理工程又はロジック、及び／又は、図２〜４に関連して説明されたメッセージフロー動作環境２００，３００，４００に示されたメッセージフロー、記憶媒体１２２４及び論理回路１２２６のうち１以上に関して説明された工程を、処理コンポーネント１２３０を用いて実行してよい。
【０１１０】
処理コンポーネント１２３０（及び／又はPHY１２１６及び／又はMAC１２１８）は、様々なハードウェア要素、ソフトウェア要素、或いは両方の組合わせを含んでよい。ハードウェア要素の例としては、デバイス、論理デバイス、コンポーネント、プロセッサ、マイクロプロセッサ、回路、プロセッサ回路、回路要素（例えばトランジスタ、抵抗、コンデンサ、インダクタ）、集積回路、特定用途向け集積回路（ASIC）、プログラマブルロジックデバイス（PLD）、デジタル信号プロセッサ（DSP）、フィールドプログラマブルゲートアレイ（FPGA）、メモリユニット、論理ゲート、レジスタ、半導体デバイス、チップ、マイクロチップ、チップセット等が挙げられる。ソフトウェア要素の例としては、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラムインタフェース（API）、命令セット、計算コード、コンピュータコード、コードセグメント、コンピュータコードセグメント、ワード、値、シンボル、或いはそれらの任意の組合わせが挙げられる。実施形態がハードウェア要素及び／又はソフトウェア要素を用いて実施されるか否かの決定は、所与の実装のために所望される、任意の数の因子（例えば所望の計算速度、電力レベル、熱耐性、処理サイクル予算、入力データレート、出力データレート、メモリリソース、データバススピードその他の設計又は性能制約）に応じて変化し得る。
【０１１１】
コンピューティングプラットフォーム１２２８は更に、他のプラットフォームコンポーネント１２３２を含んでよい。他のプラットフォームコンポーネント１２３２は、１以上のプロセッサ、マルチコアプロセッサ、コプロセッサ、メモリユニット、チップセット、コントローラ、周辺機器、インタフェース、発振器、タイミングデバイス、ビデオカード、オーディオカード、マルチメディア入出力（I／O）コンポーネント（例えばデジタルディスプレイ）、電源等の、共通のコンピューティング要素を含む。メモリユニットの例としては、限定ではないが、１以上の高速メモリユニットの形式の様々なタイプのコンピューター可読及び機械可読の記憶媒体が挙げられ、例えば、読出し専用メモリ(ROM）、ランダムアクセスメモリ(RAM）、ダイナミックRAM（DRAM）、ダブルデータレートDRAM（DDRAM）、シンクロナスDRAM（SDRAM）、スタティックRAM（SRAM）、プログラマブルROM（PROM）、消去可能プログラマブルROM（EPROM）、電気的消去可能プログラマブルROM（EEPROM）、フラッシュメモリ、強誘電性ポリマーメモリ等のポリマーメモリ、オボニックメモリ、相変化又は強誘電体メモリ、シリコン-酸化物-窒化物-酸化物-シリコン（SONOS）メモリ、磁気又は光カード、独立ディスクの冗長アレイ（Redundant  Array  of  Independent  Disks，RAID）ドライブ等のデバイスのアレイ、ソリッドステートメモリデバイス（例えばUSBメモリ）、ソリッドステートドライブ（SSD）その他の任意のタイプの、情報の記憶に適した記憶媒体が挙げられる。
【０１１２】
デバイス１２００は、例えば、ウルトラモバイル機器、モバイル機器、固定装置、マシンツーマシン（M2M）デバイス、パーソナルデジタルアシスタント（PDA）、モバイルコンピューティングデバイス、スマートフォン、電話、デジタル電話、携帯電話、ユーザイクイップメント、電子書籍リーダー、ハンドセット、一方向ページャ、双方向ページャ、メッセージングデバイス、コンピュータ、パーソナルコンピュータ（PC）、デスクトップコンピュータ、ラップトップコンピュータ、ノートブックコンピュータ、ネットブックコンピュータ、ハンドヘルドコンピュータ、タブレットコンピュータ、サーバ、サーバーアレイ或いはサーバーファーム、ウェブサーバー、ネットワークサーバー、インターネットサーバー、ワークステーション、ミニコンピュータ、メインフレームコンピュータ、スーパーコンピュータ、ネットワークアプライアンス、ウェブ機器、分散コンピューティングシステム、マルチプロセッサシステム、プロセッサベースのシステム、家庭用電化製品、プログラム可能な家庭用電化製品、ゲーム機、ディスプレイ、テレビ、デジタルテレビ、セットトップボックス、無線アクセスポイント、基地局、ノードB、eNB、PDN-GW、TWAG、eDPG、加入者局、モバイル加入者センター、無線ネットワークコントローラ、ルータ、ハブ、ゲートウェイ、ブリッジ、スイッチ、マシン、或いはそれらの組合わせであってよい。したがって、本明細書に記載のデバイス１２００の機能及び／又は具体的な構成は、適宜、デバイス１２００の様々な実施形態に含まれるか、省略されてよい。
【０１１３】
デバイス１２００の実施形態は、単一入力単一出力（SISO）アーキテクチャを用いて実施されてよい。しかしながら、いくつかの実施は、ビーム形成又は空間分割多重アクセス（SDMA）のための適応アンテナ技術を用いる、且つ/又は、MIMO通信技術を用いる送信及び／又は受信のために、複数のアンテナ（例えばアンテナ１２１１−ｆ）を含んでよい。
【０１１４】
デバイス１２００のコンポーネント及び機能は、ディスクリート回路、特定用途向け集積回路（ASIC）、論理ゲート及び／又は単一チップアーキテクチャの任意の組合わせを用いて実施されてよい。更に、デバイス１２００の機能は、適宜、マイクロコントローラ、プログラマブルロジックアレイ及び/若しくはマイクロプロセッサ又は上記の任意の組合わせを用いて実施されてよい。なお、ハードウェア、ファームウェア及び／又はソフトウェア要素は、本明細書において集合的又は個別に「論理回路」又は「回路」と称されることがある。
【０１１５】
なお、図１２のブロック図に示された例示的なデバイス１２００は、多くの潜在的な実施のうち１つの機能的な説明上の例を表すことができる。したがって、添付の図面に示されたブロック機能の分割、省略又は包含は、これらの機能を実施するためのハードウェアコンポーネント、回路、ソフトウェア及び／又は要素が、必ずしも実施形態において分割、省略又は含まれることになると推測するものではない。
【０１１６】
図１３は、ブロードバンド無線アクセスシステム１３００の実施形態を示す。図１３に示されるように、ブロードバンド無線アクセスシステム１３００は、インターネット１３１へのモバイル無線アクセス及び／又は固定無線アクセスをサポート可能なインターネット１３１０タイプネットワーク等を備える、インターネットプロトコル（IP）タイプネットワークであってよい。１以上の実施形態では、ブロードバンド無線アクセスシステム１３００は、任意のタイプの直交周波数分割多元接続（OFDMA）ベース又はシングルキャリア周波数分割多元接続（SC-FDMA）ベースの無線ネットワーク（例えば、3GPP  LTE仕様及び／又はIEEE８０２．１３規格の１以上に準拠するシステム）を含んでよく、特許請求の主題の範囲はこの点において限定されるものではない。
【０１１７】
例示的なブロードバンド無線アクセスシステム１３００では、無線アクセスネットワーク（RAN）１３１２，１３１８は、１以上の固定装置１３１６とインターネット１３１０との間及び／又は１以上のモバイルデバイス１３２２とインターネット１３１０との間の無線通信を提供するために、進化型ノードB（eNB）１３１４，１３２０とそれぞれ結合可能である。固定装置１３１６及びモバイルデバイス１３２２の一例は図１２のデバイス１２００であり、固定装置１３１６はデバイス１２００の固定バージョンを含み、モバイルデバイス１３２２はデバイス１２００のモバイルバージョンを含む。RAN１３１２，１３１８は、ブロードバンド無線アクセスシステム１３００の１以上の物理エンティティにネットワーク機能のマッピングを定義することが可能なプロファイルを実施してよい。eNB１３１４，１３２０は、固定装置１３１６及び／又はモバイルデバイス１３２２とのRF通信を提供するための無線装置（デバイス１２００を参照して説明したような）を含んでよく、また、例えば、3GPP  LTE仕様又はIEEE８０２．１３規格に準拠したPHY及びMAC層装置を含んでよい。eNB１３１４，１３２０は更に、それぞれRAN１３１２，１３１８を介してインターネット１３１０に結合するためのIPバックプレーンを含んでよい。しかしながら、特許請求の主題の範囲はこの点において限定されるものではない。
【０１１８】
ブロードバンド無線アクセスシステム１３００は更に訪問先コアネットワーク（CN）１３２４及び／又はホームCN１３２６を含んでよく、その各々は、１以上のネットワーク機能（例えば、限定ではないが、プロキシ及び／又はリレータイプ機能、例えば認証・許可・アカウンティング（AAA）機能、動的ホスト構成プロトコル（DHCP）機能、ドメインネームサービス制御等、公衆交換電話網（PSTN）ゲートウェイやボイスオーバーインターネットプロトコル（VｏIP）ゲートウェイ等のドメインゲートウェイ、及び／又はインターネットプロトコル（IP）タイプサーバー機能等）を提供可能であってよい。しかしながら、これらは、訪問先CN１３２４及び／又はホームCN１３２６によって提供可能な機能のタイプの例に過ぎず、特許請求の主題の範囲はこの点において限定されるものではない。訪問先CN１３２４は、訪問先CN１３２４が固定装置１３１６又はモバイルデバイス１３２２の定期的なサービスプロバイダの一部でない場合、訪問先CNと称されることがある（例えば、固定装置１３１６又はモバイルデバイス１３２２がそれぞれのホームCN１３２６から離れてローミングしているとき、或いは、ブロードバンド無線アクセスシステム１３００が、固定装置１３１６又はモバイルデバイス１３２２の定期的なサービスプロバイダの一部であり、しかし、ブロードバンド無線アクセスシステム１３００が、固定装置１３１６又はモバイルデバイス１３２２のメイン又はホームロケーションではない他の位置又は状態にあるとき）。実施形態はこの背景に限定されない。
【０１１９】
固定装置１３１６は、eNB１３１４，１３２０の一方又は両方の範囲内のどこに配置されてもよい（例えば、それぞれeNB１３１４，１３２０とRAN１３１２，１３１８及びホームCN１３２６を介してインターネット１３１０へのブロードバンドアクセスをホーム又はビジネスカスタマーに提供するために、家又は職場の中又は付近に配置される）。留意すべきこととして、固定装置１３１６は一般に固定位置に配置されるが、必要に応じて異なる位置に移動されてもよい。モバイルデバイス１３２２は、例えばモバイルデバイス１３２２がeNB１３１４，１３２０の一方又は両方の範囲内にあれば、１以上の位置で利用されてよい。１以上の実施形態によれば、ブロードバンド無線アクセスシステム１３００に対して管理機能を提供し、ブロードバンド無線アクセスシステム１３００の機能エンティティ間のインタフェースを提供するために、動作支援システム（OSS）１３２８がブロードバンド無線アクセスシステム１３００の一部であってよい。図１３のブロードバンド無線アクセスシステム１３００は、ブロードバンド無線アクセスシステム１３００のいくつかのコンポーネントを示す１つのタイプの無線ネットワークに過ぎず、特許請求の主題の範囲はこの点において限定されるものではない。
【０１２０】
様々な実施形態は、ハードウェア要素、ソフトウェア要素、或いは両方の組合わせを用いて実施されてよい。ハードウェア要素の例としては、プロセッサ、マイクロプロセッサ、回路、回路要素（例えばトランジスタ、抵抗、コンデンサ、インダクタ）、集積回路、特定用途向け集積回路（ASIC）、プログラマブルロジックデバイス（PLD）、デジタル信号プロセッサ（DSP）、フィールドプログラマブルゲートアレイ（FPGA）、論理ゲート、レジスタ、半導体デバイス、チップ、マイクロチップ、チップセット等が挙げられる。ソフトウェアの例としては、ソフトウェアコンポーネント、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラムインタフェース（API）、命令セット、計算コード、コンピュータコード、コードセグメント、コンピュータコードセグメント、ワード、値、シンボル、或いはそれらの任意の組合わせが挙げられる。実施形態がハードウェア要素及び／又はソフトウェア要素を用いて実施されるか否かの決定は、任意の数の因子（例えば所望の計算速度、電力レベル、熱耐性、処理サイクル予算、入力データレート、出力データレート、メモリリソース、データバススピードその他の設計又は性能制約）に応じて変化し得る。
【０１２１】
少なくとも１つの実施形態の１以上の態様は、プロセッサ内の様々な論理を表す機械可読媒体上に記憶された、機械によって読み出されたときに該機械に本明細書に記載の技術を実行するためのロジックを作成させる代表的な命令によって実現されてよい。「IPコア」として知られているそのような表現は、有形の機械可読媒体に記憶されてよく、様々なカスタマー又は製造設備に供給されて、実際にロジック又はプロセッサを作る製造機械にロードされてよい。いくつかの実施形態では、命令または機械によって実行された場合、命令のセットを格納する機械可読媒体または物品を用いて、例えば、実装されてもよい、機械による方法および／または動作を実行させてもよいです実施の形態。いくつかの実施形態は、例えば、機械によって実行された場合に実施形態に係る方法及び／又は動作を機械に実行させることのできる命令又は命令セットを記憶することのできる機械可読媒体又は物品を用いて実施されてよい。このような機械は、例えば、任意の適切な処理プラットフォーム、コンピューティングプラットフォーム、コンピューティングデバイス、処理デバイス、コンピューティングシステム、処理システム、コンピュータ、プロセッサ等を含んでよく、ハードウェア及び／又はソフトウェアの任意の適切な組合せを用いて実施されてよい。機械可読媒体又は物品は、例えば、任意の適切なタイプのメモリユニット、メモリデバイス、メモリ物品、メモリ媒体、記憶装置、記憶物品、記憶媒体及び／又は記憶装置を含んでよく、例えば、メモリ、リムーバブル又は非リムーバブルメディア、消去可能または消去不能媒体、書込み可能または再書込み可能媒体、デジタル又はアナログ媒体、ハードディスク、フロッピーディスク、コンパクトディスク読み出し専用メモリ（CD-ROM）、コンパクトディスクレコーダブル（CD-R）、コンパクトディスクリライタブル（CD-RW）、光ディスク、磁気媒体、光磁気媒体、取り外し可能メモリカードまたはディスク、様々な種類のデジタル多用途ディスク（DVD）、テープ、カセット等を含んでよい。命令は任意の適切なタイプのコードを含んでよく、例えば、任意の適切なハイレベル、ローレベル、オブジェクト指向、ビジュアル、コンパイルおよび／または解釈プログラミング言語を用いて実現された、ソースコード、コンパイルコード、解釈コード、実行可能コード、静的コード、動的コード、暗号化コード等を含んでよい。
【０１２２】
以下は、更なる実施形態に関連する例の第１のセットである。
【０１２３】
例１はユーザイクイップメント（UE）である。本UEは、少なくとも一部がハードウェア内に存在する論理回路であって、WLANと3GPPネットワークとのうち１つを追加のアクセス接続として追加することにより、既存のPDN通信が多重アクセスPDN通信として提供されることを示す無線ローカルエリアネットワーク（WLAN）制御プロトコル（WLCP）パケットデータネットワーク（PDN）接続要求メッセージを生成するように構成される、論理回路と、WLCP  PDN接続要求メッセージを送信するように構成される送受信器と、を備える。
【０１２４】
例２は例１の拡張であり、論理回路は、WLCP  PDN接続要求メッセージの要求タイプフィールドにおいて、既存のPDN通信が多重アクセスPDN通信として提供されることを示し、WLANと3GPPネットワークとのうち１つを追加のアクセス接続として特定するように構成される。
【０１２５】
例３は例１の拡張であり、論理回路は、WLCP  PDN接続要求メッセージのルーティング規則を更新するように構成される。
【０１２６】
例４は例３の拡張であり、論理回路は、WLCP  PDN接続要求メッセージに新しいルーティング規則を含めるように構成される。
【０１２７】
例５は例４の拡張であり、論理回路は、新しいルーティング規則について新しいルーティングフィルタ記述を含めるように構成される。
【０１２８】
例６は例４の拡張であり、論理回路は、WLCP  PDN接続要求メッセージにおいて、既存のルーティング規則のルーティングアクセスタイプを修正するように構成される。
【０１２９】
例７は例３の拡張であり、論理回路は、更新されたルーティング規則を、WLCP  PDN接続要求メッセージのプロトコル設定オプション（PCO）フィールドに含めるように構成される。
【０１３０】
例８は例１の拡張であり、WLANはトラステッドWLAN（TWAN）である。
【０１３１】
例９はユーザイクイップメント（UE）である。本UEは、少なくとも一部がハードウェア内に存在する論理回路であって、インターネットプロトコル（IP）フローが第１の無線アクセスシステムから第２の無線アクセスシステムに移行されることを示す無線ローカルエリアネットワーク（WLAN）制御プロトコル（WLCP）フローモビリティ要求メッセージを生成するように構成される論理回路と、WLCPフローモビリティ要求メッセージを送信するように構成される送受信器と、を備える。
【０１３２】
例１０は例９の拡張であり、第１の無線アクセスシステムは3GPP無線アクセスシステムであり、第２の無線アクセスシステムは非3GPP無線アクセスシステムである。
【０１３３】
例１１は例９の拡張であり、第１の無線アクセスシステムは非3GPP無線アクセスシステムであり、第２の無線アクセスシステムは3GPP無線アクセスシステムである。
【０１３４】
例１２は例９の拡張であり、論理回路は、WLCPフローモビリティ要求メッセージにおいて、メッセージタイプ、トランザクション識別子、アクセスポイント名及びパケットデータネットワーク（PDN）通信識別子（ID）のうち少なくとも１つを認識するように構成される。
【０１３５】
例１３は例９の拡張であり、論理回路は、更新されたルーティング規則をWLCPフローモビリティ要求メッセージに含めるように構成される。
【０１３６】
例１４は例１３の拡張であり、論理回路は、更新されたルーティング規則をWLCPフローモビリティ要求メッセージのプロトコル設定オプション（PCO）フィールドに含めるように構成される。
【０１３７】
例１５は例９の拡張であり、論理回路は、WLCPフローモビリティ指示メッセージ内に提供される、第２のIPフローが第１の無線アクセスシステムから第２の無線アクセスシステムに移行するという指示を処理し、WLCPフローモビリティ指示のPCOフィールドに含まれる第２の更新されたルーティング規則を処理するように構成され、本UEは、WLCPフローモビリティ指示メッセージを受信するように構成される受信器を備える。
【０１３８】
例１６は無線ローカルエリアネットワーク（WLAN）ゲートウェイである。本WLANゲートウェイは、少なくとも一部がハードウェア内に存在する論理回路であって、IPフローが第１の無線アクセスシステムから第２の無線アクセスシステムに移行することを示すベアラリソースコマンド及びベアラ修正要求メッセージのうち一方を生成し、IPフローに関する更新されたルーティング規則を、ベアラリソースコマンドとベアラ修正要求メッセージのうち一方のプロトコル設定オプション（PCO）フィールドに含めるように構成される論理回路と、ベアラリソースコマンドとベアラ修正要求メッセージのうち一方を送信するように構成される送信器と、を備える。
【０１３９】
例１７は例１６の拡張であり、論理回路は、ベアラ更新要求メッセージ内に提供される、第２のIPフローが第１の無線アクセスシステムから第２の無線アクセスシステムに移行するという指示を処理し、ベアラ更新要求メッセージのPCOフィールドに含まれる第２の更新されたルーティング規則を処理するように構成される。本WLANゲートウェイは、ベアラ更新要求メッセージを受信するように構成される受信器、を備える。
【０１４０】
例１８は例１７の拡張であり、論理回路は、第２のIPフローが第１の無線アクセスシステムから第２の無線アクセスシステムに移行するというアクノレッジメントを示すベアラ更新応答メッセージを生成し、第２の更新されたルーティング規則を、ベアラ更新応答メッセージのPCOフィールドに含めるように構成される。
【０１４１】
例１９は例１６の拡張であり、WLANゲートウェイはトラステッドWLANゲートウェイ（TWAG）である。
【０１４２】
例２０はパケットデータネットワークゲートウェイ（PDN-GW）である。本PDN-GWは、少なくとも一部がハードウェア内に存在する論理回路であって、PDN-GWに関連するインターネットプロトコル（IP）フローを管理するための規則を処理し、処理された規則に基づいて、IPフローが第１の無線アクセスシステムから第２の無線アクセスシステムに移行することを示すベアラ更新要求メッセージを生成し、更新されたルーティング規則をベアラ更新要求メッセージに含めるように構成される論理回路、を備える。
【０１４３】
例２１は例２０の拡張であり、論理回路は、アクセスネットワーク発見選択機能（ANDSF）からの指示に基づいて、IPフローを管理するための規則を処理するように構成される。
【０１４４】
例２２は例２０の拡張であり、論理回路は、更新されたルーティング規則をベアラ更新要求メッセージのプロトコル設定オプション（PCO）フィールドに含めるように構成される。
【０１４５】
例２３は例２０の拡張であり、論理回路は、IPフローが第１の無線アクセスシステムから第２の無線アクセスシステムに移行するというアクノレッジメントを示すベアラ更新応答メッセージを処理し、ベアラ更新応答メッセージのPCOフィールドに含まれる更新されたルーティング規則を処理するように構成される。
【０１４６】
例２４は例２０の拡張であり、論理回路は、第２のIPフローが第１の無線アクセスシステムから第２の無線アクセスシステムに移行することを示すベアラリソースコマンド及びベアラ修正要求メッセージのうち一方を処理し、ベアラリソースコマンドとベアラ修正要求メッセージのうち一方のPCOフィールドに含まれる第２のIPフローに関して、第２の更新されたルーティング規則を処理するように構成される。
【０１４７】
例２５は例２４の拡張であり、論理回路は、第２のIPフローが第１の無線アクセスシステムから第２の無線アクセスシステムに移行するというアクノレッジメントを示すベアラリソースコマンド及びベアラ変更応答メッセージのうち一方を生成し、第２のIPフローに関する第２の更新されたルーティング規則を、ベアラリソースコマンドとベアラ変更応答メッセージのうち一方のPCOフィールドに含めるように構成される。
【０１４８】
以下は、更なる実施形態に関連する例の第２のセットである。
【０１４９】
例１はユーザイクイップメント（UE）である。本UEは、少なくとも一部がハードウェア内に存在する論理回路であって、WLANと3GPPネットワークとのうち１つを追加のアクセス接続として追加することにより、既存のPDN通信が多重アクセスPDN通信として提供されることを示す無線ローカルエリアネットワーク（WLAN）制御プロトコル（WLCP）パケットデータネットワーク（PDN）接続要求メッセージを生成するように構成される論理回路と、WLCP  PDN接続要求メッセージを送信するように構成される送受信器と、を備える。
【０１５０】
例２は例１の拡張であり、論理回路は、WLCP  PDN接続要求メッセージの要求タイプフィールドにおいて、既存のPDN通信が多重アクセスPDN通信として提供されることを示し、WLANと3GPPネットワークとのうち１つを追加のアクセス接続として特定するように構成される。
【０１５１】
例３は例１〜２のいずれかの拡張であり、論理回路は、WLCP  PDN接続要求メッセージのルーティング規則を更新するように構成される。
【０１５２】
例４は例１〜３のいずれかの拡張であり、論理回路は、WLCP  PDN接続要求メッセージに新しいルーティング規則を含めるように構成される。
【０１５３】
例５は例４のいずれか拡張であり、論理回路は、新しいルーティング規則について新しいルーティングフィルタ記述を含めるように構成される。
【０１５４】
例６は例１〜５のいずれかの拡張であり、論理回路は、WLCP  PDN接続要求メッセージにおいて、既存のルーティング規則のルーティングアクセスタイプを修正するように構成される。
【０１５５】
例７は例３のいずれかの拡張であり、論理回路は、更新されたルーティング規則を、WLCP  PDN接続要求メッセージのプロトコル設定オプション（PCO）フィールドに含めるように構成される。
【０１５６】
例８は例１〜７のいずれかの拡張であり、論理回路は、インターネットプロトコル（IP）フローが第１の無線アクセスシステムから第２の無線アクセスシステムに移行されることを示すWLCPフローモビリティ要求メッセージを生成するように構成される。
【０１５７】
例９は例８のいずれかの拡張であり、第１の無線アクセスシステムは3GPP無線アクセスシステムであり、第２の無線アクセスシステムは非3GPP無線アクセスシステムである。
【０１５８】
例１０は例８のいずれかの拡張であり、第１の無線アクセスシステムは非3GPP無線アクセスシステムであり、第２の無線アクセスシステムは3GPP無線アクセスシステムである。
【０１５９】
例１１は例８〜１０のいずれかの拡張であり、論理回路は、WLCPフローモビリティ要求メッセージにおいて、メッセージタイプ、トランザクション識別子、アクセスポイント名及びパケットデータネットワーク（PDN）通信識別子（ID）のうち少なくとも１つを認識するように構成される。
【０１６０】
例１２は例８〜１０のいずれかの拡張であり、論理回路は、更新されたルーティング規則をWLCPフローモビリティ要求メッセージに含めるように構成される。
【０１６１】
例１３は例１２のいずれかの拡張であり、論理回路は、更新されたルーティング規則をWLCPフローモビリティ要求メッセージのプロトコル設定オプション（PCO）フィールドに含めるように構成される。
【０１６２】
例１４は例８〜１３のいずれかの拡張であり、論理回路は、フローモビリティトリガに基づいてWLCPフローモビリティ要求メッセージの生成を開始するように構成される。
【０１６３】
例１５は例１４のいずれかの拡張であり、フローモビリティトリガは、ルーティング規則、受信信号強度、利用可能な帯域幅、サービス品質（QoS）要件、ユーザ入力及びユーザ選択のうち１つに基づく。
【０１６４】
以下は、更なる実施形態に関連する例の第３のセットである。
【０１６５】
例１はユーザイクイップメント（UE）である。本UEは、少なくとも一部がハードウェア内に存在する論理回路であって、既存のPDN通信はトラステッドWLANアクセスネットワーク（TWAN）へのアクセスを提供するために用いられることを示す無線ローカルエリアネットワーク（WLAN）制御プロトコル（WLCP）パケットデータネットワーク（PDN）接続要求メッセージを生成するように構成される論理回路と、WLCP  PDN接続要求メッセージを送信するように構成される送受信器と、を備える。
【０１６６】
例２は例１の拡張であり、論理回路は、WLCP  PDN接続要求メッセージの要求タイプフィールドを用いて、既存のPDN通信がTWANへのアクセスを提供するために用いられることを示すように構成される。
【０１６７】
例３は例２の拡張であり、論理回路は、WLCP  PDN接続要求メッセージの要求タイプフィールドをインターネットプロトコル（IP）フローモビリティに設定するように構成される。
【０１６８】
例４は例１の拡張であり、論理回路は、TWANを認識するように構成される。
【０１６９】
例５は例１の拡張であり、論理回路は、WLCP  PDN接続要求メッセージのルーティング規則を更新するように構成される。
【０１７０】
例６は例５の拡張であり、論理回路は、新しいルーティング規則をWLCP  PDN接続要求メッセージに含めるように構成される。
【０１７１】
例７は例６の拡張であり、論理回路は、新しいルーティング規則について新しいルーティングフィルタ記述を含めるように構成される。
【０１７２】
例８は例５の拡張であり、論理回路は、WLCP  PDN接続要求メッセージにおいて、既存のルーティング規則のルーティングアクセスタイプを修正するように構成される。
【０１７３】
例９は例５の拡張であり、論理回路は、既存のルーティング規則を除去するように構成される。
【０１７４】
例１０は例５の拡張であり、論理回路は、更新されたルーティング規則を、WLCP  PDN接続要求メッセージのプロトコル設定オプション（PCO）フィールドに含めるように構成される。
【０１７５】
例１１は、例１〜１０のいずれかに係るUEと、１以上の無線周波数（RF）アンテナと、ディスプレイとを備えるシステムである。
【０１７６】
例１２は無線通信方法である。本方法は、トラステッド無線ローカルエリアネットワーク（WLAN）アクセスネットワーク（TWAN）を認識するステップと、既存のPDN通信がTWANへのアクセスを提供するために用いられることを示すWLAN制御プロトコル（WLCP）パケットデータネットワーク（PDN）接続要求メッセージを生成するステップと、WLCP  PDN接続要求メッセージを送信するステップと、を含む。
【０１７７】
例１３は例１２の拡張であり、更に、WLCP  PDN接続要求メッセージの要求タイプフィールドを用いて、既存のPDN通信がTWANへのアクセスを提供するために用いられることを示すステップ、を含む。
【０１７８】
例１４は例１３の拡張であり、更に、WLCP  PDN接続要求メッセージの要求タイプフィールドをインターネットプロトコル（IP）フローモビリティに設定するステップ、を含む。
【０１７９】
例１５は例１２の拡張であり、更に、更新されたルーティング規則をWLCP  PDN接続要求メッセージに含めるステップ、を含む。
【０１８０】
例１６は例１５の拡張であり、更に、新しいルーティング規則をWLCP  PDN接続要求メッセージに含めるステップ、を含む。
【０１８１】
例１７は例１６の拡張であり、更に、新しいルーティング規則に関する新しいルーティングフィルタ記述を含めるステップ、を含む。
【０１８２】
例１８は例１５の拡張であり、更に、WLCP  PDN接続要求メッセージの既存のルーティング規則のルーティングアクセスタイプを修正するステップ、を含む。
【０１８３】
例１９は例１５の拡張であり、更に、既存のルーティング規則を除去するステップ、を含む。
【０１８４】
例２０は例１５の拡張であり、更に、更新されたルーティング規則を、WLCP  PDN接続要求メッセージのプロトコル設定オプション（PCO）フィールドに含めるステップ、を含む。
【０１８５】
例２１は少なくとも１つの非一時的コンピュータ可読記憶媒体である。本記憶媒体は、コンピューティングデバイス上で実行されることに応答して、コンピューティングデバイスに例１１〜２０のいずれかに係る無線通信方法を実行させる命令セットを備える。
【０１８６】
例２２は、例１１〜２０のいずれかに係る無線通信方法を実行する手段を備える装置である。
【０１８７】
例２３は少なくとも１つの非一時的コンピュータ可読記憶媒体である。本記憶媒体は、ユーザイクイップメント（UE）で実行されることに応答して、UEに、トラステッド無線ローカルエリアネットワーク（WLAN）アクセスネットワーク（TWAN）を認識する工程と、既存のPDN通信がTWANへのアクセスを提供するために用いられることを示すWLAN制御プロトコル（WLCP）パケットデータネットワーク（PDN）接続要求メッセージを生成する工程と、WLCP  PDN接続要求メッセージを送信する工程と、を実行させる無線通信命令セットを備える。
【０１８８】
例２４は例２３の拡張であり、UEで実行されることに応答して、UEに、WLCP  PDN接続要求メッセージの要求タイプフィールドを用いて、既存のPDN通信がTWANへのアクセスを提供するために用いられることを示す工程、を実行させる無線通信命令を備える。
【０１８９】
例２５は例２４の拡張であり、UEで実行されることに応答して、UEに、WLCP  PDN接続要求メッセージの要求タイプフィールドをインターネットプロトコル（IP）フローモビリティに設定する工程、を実行させる無線通信命令を備える。
【０１９０】
例２６は例２３の拡張であり、UEで実行されることに応答して、UEに、更新されたルーティング規則をWLCP  PDN接続要求メッセージに含める工程、を実行させる無線通信命令を備える。
【０１９１】
例２７は例２６の拡張であり、UEで実行されることに応答して、UEに、WLCP  PDN接続要求メッセージに新しいルーティング規則を含める工程、を実行させる無線通信命令を備える。
【０１９２】
例２８は例２７の拡張であり、UEで実行されることに応答して、UEに、新しいルーティング規則について新しいルーティングフィルタ記述を含める工程、を実行させる無線通信命令を備える。
【０１９３】
例２９は例２６の拡張であり、UEで実行されることに応答して、UEに、WLCP  PDN接続要求メッセージにおいて、既存のルーティング規則のルーティングアクセスタイプを修正する工程、を実行させる無線通信命令を備える。
【０１９４】
例３０は例２６の拡張であり、UEで実行されることに応答して、UEに、既存のルーティング規則を除去する工程、を実行させる無線通信命令を備える。
【０１９５】
例３１は例２６の拡張であり、UEで実行されることに応答して、UEに、更新されたルーティング規則を、WLCP  PDN接続要求メッセージのプロトコル設定オプション（PCO）フィールドに含める工程、を実行させる無線通信命令を備える。
【０１９６】
例３２はユーザイクイップメント（UE）である。本UEは、少なくとも一部がハードウェア内に存在する論理回路であって、インターネットプロトコル（IP）フローが第１の無線アクセスシステムから第２の無線アクセスシステムに移行されることを示す無線ローカルエリアネットワーク（WLAN）制御プロトコル（WLCP）フローモビリティ要求メッセージを生成するように構成される論理回路と、WLCPフローモビリティ要求メッセージを送信するように構成される送受信器と、を備える。
【０１９７】
例３３は例３２の拡張であり、第１の無線アクセスシステムは3GPP無線アクセスシステムであり、第２の無線アクセスシステムは非3GPP無線アクセスシステムである。
【０１９８】
例３４は例３２の拡張であり、第１の無線アクセスシステムは非3GPP無線アクセスシステムであり、第２の無線アクセスシステムは3GPP無線アクセスシステムである。
【０１９９】
例３５は例３２の拡張であり、論理回路は、WLCPフローモビリティ要求メッセージにおいて、メッセージタイプ、トランザクション識別子、アクセスポイント名及びパケットデータネットワーク（PDN）通信識別子（ID）のうち少なくとも１つを識別するように構成される。
【０２００】
例３６は例３２の拡張であり、論理回路は、WLCPフローモビリティ要求メッセージにおいてIPフローを識別するように構成される。
【０２０１】
例３７は例３２の拡張であり、論理回路は、更新されたルーティング規則をWLCPフローモビリティ要求メッセージに含めるように構成される。
【０２０２】
例３８は例３７の拡張であり、論理回路は、更新されたルーティング規則をWLCPフローモビリティ要求メッセージのプロトコル設定オプション（PCO）フィールドに含めるように構成される。
【０２０３】
例３９は例３２の拡張であり、論理回路は、フローモビリティトリガに基づいて、WLCPフローモビリティ要求メッセージの生成を開始するように構成される。
【０２０４】
例４０は例３９の拡張であり、フローモビリティトリガは、ルーティング規則、受信信号強度、利用可能な帯域幅、サービス品質（QoS）要件、ユーザ入力及びユーザ選択のうち１つに基づく。
【０２０５】
例４１は、例３２〜４０のいずれかに係るUEと、１以上の無線周波数（RF）アンテナと、ディスプレイとを備えるシステムである。
【０２０６】
例４２は無線通信方法である。本方法は、インターネットプロトコル（IP）フローが第１の無線アクセスシステムから第２の無線アクセスシステムに移行されることを示す無線ローカルエリアネットワーク（WLAN）制御プロトコル（WLCP）フローモビリティ要求メッセージを生成するステップと、WLCPフローモビリティ要求メッセージを送信するステップと、を含む。
【０２０７】
例４３は例４２の拡張であり、第１の無線アクセスシステムは3GPP無線アクセスシステムであり、第２の無線アクセスシステムは非3GPP無線アクセスシステムである。
【０２０８】
例４４は例４２の拡張であり、第１の無線アクセスシステムは非3GPP無線アクセスシステムであり、第２の無線アクセスシステムは3GPP無線アクセスシステムである。
【０２０９】
例４５は例４２の拡張であり、更に、WLCPフローモビリティ要求メッセージにおいて、メッセージタイプ、トランザクション識別子、アクセスポイント名及びパケットデータネットワーク（PDN）通信識別子（ID）のうち少なくとも１つを識別するステップ、を含む。
【０２１０】
例４６は例４２の拡張であり、更に、WLCPフローモビリティ要求メッセージにおいてIPフローを識別するステップ、を含む。
【０２１１】
例４７は例４６の拡張であり、更に、更新されたルーティング規則をWLCPフローモビリティ要求メッセージに含めるステップ、を含む。
【０２１２】
例４８は例４７の拡張であり、更に、更新されたルーティング規則をWLCPフローモビリティ要求メッセージのプロトコル設定オプション（PCO）フィールドに含めるステップ、を含む。
【０２１３】
例４９は例４２の拡張であり、更に、フローモビリティトリガに基づいて、WLCPフローモビリティ要求メッセージの生成を開始するステップ、を含む。
【０２１４】
例５０は例４９の拡張であり、フローモビリティトリガは、ルーティング規則、受信信号強度、利用可能な帯域幅、サービス品質（QoS）要件、ユーザ入力及びユーザ選択のうち１つに基づく。
【０２１５】
例５１は、少なくとも１つの非一時的コンピュータ可読記憶媒体である。本記憶媒体は、コンピューティングデバイス上で実行されることに応答して、コンピューティングデバイスに例４２〜５０に係る無線通信方法を実行させる命令セットを備える。
【０２１６】
例５２は、例４２〜５０のいずれかに係る無線通信方法を実行する手段を備える装置である。
【０２１７】
例５３は、少なくとも１つの非一時的コンピュータ可読記憶媒体である。本記憶媒体は、ユーザイクイップメント（UE）で実行されることに応答して、UEに、インターネットプロトコル（IP）フローが第１の無線アクセスシステムから第２の無線アクセスシステムに移行されることを示す無線ローカルエリアネットワーク（WLAN）制御プロトコル（WLCP）フローモビリティ要求メッセージを生成するステップと、WLCPフローモビリティ要求メッセージを送信するステップと、を実行させる無線通信命令セットを備える。
【０２１８】
例５４は例５３の拡張であり、第１の無線アクセスシステムは3GPP無線アクセスシステムであり、第２の無線アクセスシステムは非3GPP無線アクセスシステムである。
【０２１９】
例５５は例５３の拡張であり、第１の無線アクセスシステムは非3GPP無線アクセスシステムであり、第２の無線アクセスシステムは3GPP無線アクセスシステムである。
【０２２０】
例５６は例５３の拡張であり、UEで実行されることに応答して、UEに、WLCPフローモビリティ要求メッセージにおいて、メッセージタイプ、トランザクション識別子、アクセスポイント名及びパケットデータネットワーク（PDN）通信識別子（ID）のうち少なくとも１つを識別する工程、を実行させる無線通信命令を備える。
【０２２１】
例５７は例５３の拡張であり、UEで実行されることに応答して、UEに、WLCPフローモビリティ要求メッセージにおいてIPフローを識別する工程、を実行させる無線通信命令を備える。
【０２２２】
例５８は例５３の拡張であり、UEで実行されることに応答して、UEに、更新されたルーティング規則をWLCPフローモビリティ要求メッセージに含める工程、を実行させる無線通信命令を備える。
【０２２３】
例５９は例５８の拡張であり、UEで実行されることに応答して、UEに、更新されたルーティング規則をWLCPフローモビリティ要求メッセージのプロトコル設定オプション（PCO）フィールドに含める工程、を実行させる無線通信命令を備える。
【０２２４】
例６０は例５３の拡張であり、UEで実行されることに応答して、UEに、フローモビリティトリガに基づいてWLCPフローモビリティ要求メッセージの生成を開始する工程、を実行させる無線通信命令を備える。
【０２２５】
例６１は例６０の拡張であり、フローモビリティトリガは、ルーティング規則、受信信号強度、利用可能な帯域幅、サービス品質（QoS）要件、ユーザ入力及びユーザ選択のうち１つに基づく。
【０２２６】
例６２はパケットデータネットワークゲートウェイ（PDN-GW）である。本PDN-GWは、少なくとも一部がハードウェア内に存在する論理回路であって、PDN-GWに関連するインターネットプロトコル（IP）フローを管理するための規則を提供し、提供された規則に基づいて、IPフローが第１の無線アクセスシステムから第２の無線アクセスシステムに移行することを示すベアラ更新要求メッセージを生成するように構成される論理回路、を備える。
【０２２７】
例６３は例６２の拡張であり、第１の無線アクセスシステムは3GPP無線アクセスシステムであり、第２の無線アクセスシステムは非3GPP無線アクセスシステムである。
【０２２８】
例６４は例６２の拡張であり、第１の無線アクセスシステムは非3GPP無線アクセスシステムであり、第２の無線アクセスシステムは3GPP無線アクセスシステムである。
【０２２９】
例６５は例６２の拡張であり、論理回路は、IPフローを管理するための規則をアクセスネットワーク発見選択機能（ANDSF）から受信するように構成される。
【０２３０】
例６６は例６２の拡張であり、論理回路は、IPフローを管理するための規則を進化型ノードＢ（eNB）から受信するように構成される。
【０２３１】
例６７は例６２の拡張であり、論理回路は、IPフローを管理するための規則をローカルで受信するように構成される。
【０２３２】
例６８は例６２の拡張であり、論理回路は、更新されたルーティング規則をベアラ更新要求メッセージに含めるように構成される。
【０２３３】
例６９は例６８の拡張であり、論理回路は、更新されたルーティング規則をベアラ更新要求メッセージに直接含めるように構成される。
【０２３４】
例７０は例６８の拡張であり、論理回路は、更新されたルーティング規則をベアラ更新要求メッセージのプロトコル設定オプション（PCO）フィールドに含めるように構成される。
【０２３５】
例７１は例６２の拡張であり、論理回路は、少なくともネットワーク輻輳、ユーザ加入プロファイル、サービス品質（QoS）要件に基づいて、提供された規則を動的に調整するように構成される。
【０２３６】
例７２は、例６２〜７１のいずれかに係るPDN-GWと、ベアラ更新要求メッセージを送信するように構成される送受信器と、を備えるシステムである。
【０２３７】
例７３は通信方法である。本方法は、パケットデータネットワークゲートウェイ（PDN-GW）に関連するインターネットプロトコル（IP）フローを管理するための規則を提供するステップと、提供された規則に基づいて、IPフローが第１の無線アクセスシステムから第２の無線アクセスシステムに移行することを示すベアラ更新要求メッセージを生成するステップと、ベアラ更新要求メッセージを送信するステップと、を含む。
【０２３８】
例７４は例７３の拡張であり、第１の無線アクセスシステムは3GPP無線アクセスシステムであり、第２の無線アクセスシステムは非3GPP無線アクセスシステムである。
【０２３９】
例７５は例７３の拡張であり、第１の無線アクセスシステムは非3GPP無線アクセスシステムであり、第２の無線アクセスシステムは3GPP無線アクセスシステムである。
【０２４０】
例７６は例７３の拡張であり、更に、IPフローを管理するための規則をアクセスネットワーク発見選択機能（ANDSF）から受信するステップ、を含む。
【０２４１】
例７７は例７３の拡張であり、更に、IPフローを管理するための規則を進化型ノードＢ（eNB）から受信するステップ、を含む。
【０２４２】
例７８は例７３の拡張であり、更に、IPフローを管理するための規則をローカルで受信するステップ、を含む。
【０２４３】
例７９は例７３の拡張であり、更に、更新されたルーティング規則をベアラ更新要求メッセージに含めるステップ、を含む。
【０２４４】
例８０は例７９の拡張であり、更に、更新されたルーティング規則をベアラ更新要求メッセージに直接含めるステップ、を含む。
【０２４５】
例８１は例７９の拡張であり、更に、更新されたルーティング規則をベアラ更新要求メッセージのプロトコル設定オプション（PCO）フィールドに含めるステップ、を含む。
【０２４６】
例８２は例７３の拡張であり、更に、少なくともネットワーク輻輳、ユーザ加入プロファイル、サービス品質（QoS）要件に基づいて、提供された規則を動的に調整するステップ、を含む。
【０２４７】
例８３は、少なくとも１つの非一時的コンピュータ可読記憶媒体である。本記憶媒体は、コンピューティングデバイス上で実行されることに応答して、コンピューティングデバイスに、例７３〜８２のいずれかに係る通信方法を実行させる命令セットを備える。
【０２４８】
例８４は、例７３〜８２のいずれかに係る通信方法を実行する手段を備える装置である
例８５は、少なくとも１つの非一時的コンピュータ可読記憶媒体である。本記憶媒体は、パケットデータネットワークゲートウェイ（PDN-GW）で実行されることに応答して、PDN-GWに、PDN-GWに関連するインターネットプロトコル（IP）フローを管理するための規則を提供する工程と、提供された規則に基づいて、IPフローが第１の無線アクセスシステムから第２の無線アクセスシステムに移行することを示すベアラ更新要求メッセージを生成する工程と、ベアラ更新要求メッセージを送信する工程と、を実行させる通信命令セットを備える。
【０２４９】
例８６は例８５の拡張であり、第１の無線アクセスシステムは3GPP無線アクセスシステムであり、第２の無線アクセスシステムは非3GPP無線アクセスシステムである。
【０２５０】
例８７は例８５の拡張であり、第１の無線アクセスシステムは非3GPP無線アクセスシステムであり、第２の無線アクセスシステムは3GPP無線アクセスシステムである。
【０２５１】
例８８は例８５の拡張であり、PDN-GWで実行されることに応答して、PDN-GWに、IPフローを管理するための規則をアクセスネットワーク発見選択機能（ANDSF）から受信する工程、を実行させる通信命令を備える。
【０２５２】
例８９は例８５の拡張であり、PDN-GWで実行されることに応答して、PDN-GWに、IPフローを管理するための規則を進化型ノードB（eNB）から受信する工程、を実行させる通信命令を備える。
【０２５３】
例９０は例８５の拡張であり、PDN-GWで実行されることに応答して、PDN-GWに、IPフローを管理するための規則をローカルで受信する工程、を実行させる通信命令を備える。
【０２５４】
例９１は例８５の拡張であり、PDN-GWで実行されることに応答して、PDN-GWに、更新されたルーティング規則をベアラ更新要求メッセージに含める工程、を実行させる通信命令を備える。
【０２５５】
例９２は例９１の拡張であり、PDN-GWで実行されることに応答して、PDN-GWに、更新されたルーティング規則をベアラ更新要求メッセージに直接含める工程、を実行させる通信命令を備える。
【０２５６】
例９３は例９１の拡張であり、PDN-GWで実行されることに応答して、PDN-GWに、更新されたルーティング規則をベアラ更新要求メッセージのプロトコル設定オプション（PCO）フィールドに含める工程、を実行させる通信命令を備える。
【０２５７】
例９４は例８５の拡張であり、PDN-GWで実行されることに応答して、PDN-GWに、少なくともネットワーク輻輳、ユーザ加入プロファイル、サービス品質（QoS）要件に基づいて、提供された規則を動的に調整する工程、を実行させる通信命令を備える。
【０２５８】
例９５はユーザイクイップメント（UE）である。本UEは、少なくとも一部がハードウェア内に存在する論理回路であって、インターネットプロトコル（IP）フローが第１の無線アクセスシステムから第２の無線アクセスシステムに移行されるという指示を処理し、更新されたルーティング規則を処理するように構成される論理回路、を備える。
【０２５９】
例９６は例９５の拡張であり、第１の無線アクセスシステムは3GPP無線アクセスシステムであり、第２の無線アクセスシステムは非3GPP無線アクセスシステムである。
【０２６０】
例９７は例９５の拡張であり、第１の無線アクセスシステムは非3GPP無線アクセスシステムであり、第２の無線アクセスシステムは3GPP無線アクセスシステムである。
【０２６１】
例９８は例９５の拡張であり、指示は、受信された無線ローカルエリアネットワーク（WLAN）制御プロトコル（WLCP）フローモビリティ指示メッセージに基づく。
【０２６２】
例９９は例９８の拡張であり、WLCPフローモビリティ指示メッセージは更に、WLCPフローモビリティ要求メッセージにおいて、メッセージタイプ、トランザクション識別子、アクセスポイント名及びパケットデータネットワーク（PDN）通信識別子（ID）少なくとも１つを含む。
【０２６３】
例１００は例９８の拡張であり、WLCPフローモビリティ指示メッセージは更に、IPフローの識別を含む。
【０２６４】
例１０１は例９８の拡張であり、WLCPフローモビリティ指示メッセージは更に、更新されたルーティング規則を含む。
【０２６５】
例１０２は例９８の拡張であり、更新されたルーティング規則は、WLCPフローモビリティ指示のプロトコル設定オプション（PCO）フィールドに含まれる。
【０２６６】
例１０３は例９５の拡張であり、更に、指示及び更新されたルーティング規則を受信するように構成される送受信器、を備える。
【０２６７】
例１０４は例９５の拡張であり、論理回路は、IPフローが第１の無線アクセスシステムから第２の無線アクセスシステムに移行するというアクノレッジメントを示すWLCPフローモビリティ応答メッセージと、更新されたルーティング規則とを生成するように構成される。
【０２６８】
例１０５は例１０４の拡張であり、論理回路は、更新されたルーティング規則をWLCPフローモビリティ応答メッセージのプロトコル設定オプション（PCO）フィールドに含めるように構成される。
【０２６９】
例１０６は例１０５の拡張であり、更に、WLCPフローモビリティ応答メッセージを送信するように構成される送受信器、を備える。
【０２７０】
例１０７は、例９５〜１０６のいずれかに係るUEと、１以上の無線周波数（RF）アンテナと、ディスプレイとを備えるシステムである。
【０２７１】
例１０８はパケットデータネットワークゲートウェイ（PDN-GW）である。本PDN-GWは、少なくとも一部がハードウェア内に存在する論理回路であって、ユーザイクイップメント（UE）に関連する全てのインターネットプロトコル（IP）フローが非3GPP無線アクセスシステム上にあることを決定し、UEが3GPP無線アクセスシステムからデタッチされるか否かを決定するように構成される論理回路、を備える。
【０２７２】
例１０９は例１０８の拡張であり、論理回路は、PDN-GWのオペレータによって設定された構成選択と、3GPP無線アクセスシステム上のトラフィック状態と、UEに関連するIPフローのタイプとのうち少なくとも１つに基づいて、UEが3GPP無線アクセスシステムからデタッチされるか否かを決定するように構成される。
【０２７３】
例１１０は例１０９の拡張であり、論理回路は、デタッチプロシージャの実施をオーバーライドして、UEの3GPP無線アクセスシステム上の通信を維持するように構成される。
【０２７４】
例１１１は例１０８の拡張であり、論理回路は、設定された期間が経過したと論理回路が決定したときに、UEが3GPP無線アクセスシステムからデタッチされると決定するように構成される。
【０２７５】
例１１２は例１１１の拡張であり、論理回路は、論理回路がUEに関連する全てのIPフローが非3GPP無線アクセスシステム上にあると決定した時間に実質的に開始する設定された期間を測定するように構成される。
【０２７６】
例１１３は、例１０８〜１１２のいずれかに係るPDN-GWと送受信器とを備えるシステムである。
【０２７７】
例１１４は通信方法である。本方法は、ユーザイクイップメント（UE）に関連する全てのインターネットプロトコル（IP）フローが非3GPP無線アクセスシステム上にあることを決定するステップと、UEが3GPP無線アクセスシステムからデタッチされるか否かを決定するステップと、UEをデタッチすると決定された場合に、デタッチプロシージャを実施して、UEの3GPP無線アクセスシステム上の通信を除去するステップと、UEをデタッチしないと決定された場合に、デタッチプロシージャの実施をオーバーライドして、UEについて、3GPP無線アクセスシステム上の通信を維持するステップと、を含む。
【０２７８】
例１１５は例１１４の拡張であり、UEがデタッチされるか否かを決定するステップは、PDN-GWのオペレータによって設定される構成選択と、3GPP無線アクセスシステム上のトラフィック状態と、UEに関連するIPフローのタイプとのうち少なくとも１つに基づく。
【０２７９】
例１１６は例１１４の拡張であり、更に、タイマーの満了時にデタッチプロシージャを実施するステップ、を含む。
【０２８０】
例１１７は例１１６の拡張であり、更に、UEに関連する全てのIPフローが非3GPP無線アクセスシステム上にあると決定されるのと実質的に同じ時間に、タイマーを開始するステップ、を含む。
【０２８１】
例１１８は、少なくとも１つの非一時的コンピュータ可読記憶媒体である。本記憶媒体は、コンピューティングデバイス上で実行されることに応答して、コンピューティングデバイスに、例１１４〜１１７のいずれかに係る通信方法を実行させる命令セットを備える。
【０２８２】
例１１９は、例１１４〜１１７のいずれかに係る通信方法を実行する手段を備える装置である。
【０２８３】
例１２０は、少なくとも１つの非一時的コンピュータ可読記憶媒体である。本記憶媒体は、パケットデータネットワークゲートウェイ（PDN-GW）で実行されることに応答して、PDN-GWに、ユーザイクイップメント（UE）に関連する全てのインターネットプロトコル（IP）フローが非3GPP無線アクセスシステム上にあると決定する工程と、UEが3GPP無線アクセスシステムからデタッチされるか否かを決定する工程と、UEをデタッチすると決定された場合に、デタッチプロシージャを実施して、UEの3GPP無線アクセスシステム上の通信を除去する工程と、UEをデタッチしないと決定された場合に、デタッチプロシージャの実施をオーバーライドして、UEについて、3GPP無線アクセスシステム上の通信を維持する工程と、を実行させる通信命令セットを含む。
【０２８４】
例１２１は例１２０の拡張であり、PDN-GWで実行されることに応答して、PDN-GWに、PDN-GWのオペレータによって設定された構成選択と、3GPP無線アクセスシステム上のトラフィック状態と、UEに関連するIPフローのタイプとのうち少なくとも１つに基づいて、UEがデタッチされるか否かを決定する工程、を実行させる通信命令を備える。
【０２８５】
例１２２は例１２１の拡張であり、PDN-GWで実行されることに応答して、PDN-GWに、タイマーの満了時にデタッチプロシージャを実施する工程、を実行させる通信命令を備える。
【０２８６】
例１２３は例１２２の拡張であり、PDN-GWで実行されることに応答して、PDN-GWに、UEに関連する全てのIPフローが非3GPP無線アクセスシステム上にあると決定されるのと実質的に同じ時間に、タイマーを開始する工程、を実行させる通信命令を備える。
【０２８７】
実施形態の徹底的な理解を提供するために、本明細書では多数の具体的な詳細を説明した。しかしながら、当業者であれば理解できるように、これらの具体的な詳細なしに実施形態を実施できる。他の例では、実施形態を不明瞭にしないように、周知の動作、コンポーネント及び回路は詳細には説明していない。本明細書に開示された具体的な構造的詳細及び機能的詳細は代表的なものであり、必ずしも実施形態の範囲を限定するものではないことが理解できる。
【０２８８】
いくつかの実施形態は、「結合」及び「接続」という表現をその派生語と共に用いて説明されることがある。これらの用語は互いに同義語として意図されない。例えば、いくつかの実施形態は、２以上の要素が互いに直接物理的又は電気的に接触していることを示すために、「結合」及び／又は「接続」という用語を用いて記述されることがある。しかしながら、「結合」という用語は、２以上の要素が互いに直接接触していないが、依然として協働又は相互作用することを意味することもある。
【０２８９】
別段の言及がない限り、「処理」、「コンピューティング」、「計算する」、「決定する」等の用語は、コンピュータ又はコンピューティングシステム或いは同様の電子的コンピューティングデバイスの動作及び／又はプロセスを指し、コンピュータ又はコンピューティングシステム或いは同様の電子的コンピューティングデバイスは、該コンピューティングシステムのレジスタ及び／又はメモリ内の物理的量（例えば電子）として表されるデータを、同様にコンピューティングシステムのメモリ、レジスタその他の情報記憶装置、伝送装置又は表示装置内の物理的量として表される他のデータに操作及び／又は変換する。実施形態はこの背景に限定されない。
【０２９０】
なお、本明細書に記載の方法は、記載された順序又は任意の特定の順序で実行される必要はない。更に、本明細書において特定される方法に関連して説明される様々な動作は、連続又は平行して実行することができる。
【０２９１】
本明細書において特定の実施形態を例示及び説明してきたが、示された特定の実施形態の代わりに、同じ目的を達成するために計算された任意の配置を採用することができることを理解されたい。本開示は、様々な実施形態の任意及び全ての適応又は変形をカバーすることを意図する。なお、上記の説明は例示の様式でなされ、限定の様式ではなされていない。上記の説明を検討することにより、当業者であれば、上記の実施形態及び本明細書に具体的に記載していない他の実施形態の組合わせが明らかであろう。したがって、様々な実施形態の範囲は、上記の組成物、構造及び方法が使用される他の適用を含む。開示の要約は、読者が迅速に技術的開示の性質を確認することを可能にする要約を要求する37C.F.R.§1.72（B）に準拠するために提供されることが強調される。それは、特許請求の範囲又は意味を解釈又は限定するために用いられるものではないという理解の下で提出される。また、前述の詳細な説明では、開示を合理化する目的で、単一の実施形態において様々な特徴が共にグループ化されることが分かる。この開示の方法は、請求される実施形態が各請求項に明示的に記載されるものよりも多くの特徴を必要とするという意図を反映するものと解釈されるべきではない。むしろ、以下の特許請求の範囲が反映するように、本発明の主題は、単一の開示された実施形態の全ての特徴よりも少ない特徴にある。したがって、以下の特許請求の範囲は、各請求項が別個の好ましい実施形態として独立して、本明細書の詳細な説明に組み込まれる。添付の特許請求の範囲において、用語“including（有する、含む）”と“in  which”は、それぞれ用語“comprising（備える）”と“wherein”の平易な英語の均等物として用いられる。更に、用語「第１」、「第２」、「第３」等はラベルとして用いられるに過ぎず、それらの対象に数値的要件を課すことを意図するものではない。
【０２９２】
主題は構造的特徴及び／又は方法論的動作に特有の言語で説明されたが、添付の特許請求の範囲で定義される主題は、必ずしも上述の特定の特徴又は動作に限定されるものではないことが理解されるべきである。むしろ、上述の特定の特徴及び動作は、特許請求の範囲を実施する例示的形式として開示される。
【図１】
0006437572.tif 000002
【図２】
0006437572.tif 000003
【図３】
0006437572.tif 000004
【図４】
0006437572.tif 000005
【図５】
0006437572.tif 000006
【図６】
0006437572.tif 000007
【図７】
0006437572.tif 000008
【図８】
0006437572.tif 000009
【図９】
0006437572.tif 000010
【図１０】
0006437572.tif 000011
【図１１】
0006437572.tif 000012
【図１２】
0006437572.tif 000013
【図１３】
0006437572.tif 000014